(57)【要約】【課題】演出効果の低下を防ぐことができる遊技機を提供する。【解決手段】遊技機は、可変表示時を行うことが可能である。遊技機は、可変表示に対応する特定表示を表示可能な特定表示手段と、特定表示が表示されることに伴って所定音を出力可能な所定音出力手段と、特定表示の表示態様を変化させる変化演出を実行可能な変化演出実行手段と、変化演出による特定表示の変化に伴って特定音を出力可能な特定音出力手段と、を備える。遊技機における特定音出力手段は、特定音を出力するときに、所定音の出力を制限する。【選択図】図１１
2018164637.tif 000002
【特許請求の範囲】
【請求項１】
可変表示を行うことが可能な遊技機であって、
可変表示に対応する特定表示を表示可能な特定表示手段と、
前記特定表示が表示されることに伴って所定音を出力可能な所定音出力手段と、
前記特定表示の表示態様を変化させる変化演出を実行可能な変化演出実行手段と、
前記変化演出による前記特定表示の変化に伴って特定音を出力可能な特定音出力手段と、を備え、
前記特定音出力手段は、
前記特定音を出力するときに、前記所定音の出力を制限することを特徴とする遊技機。
【発明の詳細な説明】
【技術分野】
【０００１】
本発明は、遊技機に関する。
【背景技術】
【０００２】
遊技機として、遊技球などの遊技媒体が入賞口に入賞したときに、入賞音を発生させるとともに、保留変化があったときなどに保留変化音を発生させる遊技機がある（例えば、特許文献１参照）。この遊技機では、入賞音や保留変化音を発生させることにより、大当り遊技状態への移行の期待感を高め、興趣を向上させるようにしている。また、入賞音と保留変化音とを同時に発生する場合には、出力する音の長さを異ならせたり、発生する音を異ならせたりして、入賞音と保留変化音とを遊技者が聞き分けることができるようにする工夫がなされていた。
【先行技術文献】
【特許文献】
【０００３】
【特許文献１】特開２０１６−２１４２７２号公報
【発明の概要】
【発明が解決しようとする課題】
【０００４】
しかしながら、上記特許文献１において開示された遊技機では、入賞音や保留変化音を出力する音の長さを変えたり発生する音と変化させたりしても、入賞音と保留変化音が同時に発生されると、両者の聞き分けが難しく、演出効果が低下する虞があった。
【０００５】
本発明は、演出効果の低下を防ぐことができる遊技機を提供することである。
【課題を解決するための手段】
【０００６】
（１）上記目的を達成するため、本発明の一態様による遊技機は、可変表示を行うことが可能な遊技機（例えば、パチンコ遊技機１等）であって、可変表示に対応する特定表示（例えば、第１始動入賞記憶表示エリア５ＨＬ及び第２始動入賞記憶表示エリア５ＨＲに表示される第１保留表示及び第２保留表示等）を表示可能な特定表示手段（例えば、第１始動入賞記憶表示エリア５ＨＬ及び第２始動入賞記憶表示エリア５ＨＲが設けられた画像表示装置５等）と、前記特定表示が表示されることに伴って所定音（例えば、入賞音等）を出力可能な所定音出力手段（例えば、入賞音を出力するスピーカ８等）と、前記特定表示の表示態様を変化させる変化演出（例えば、既に表示されている第１保留表示や第２保留表示が予告態様に変化する保留変化演出等）を実行可能な変化演出実行手段（例えば、演出制御用ＣＰＵ１２０等）と、前記変化演出による前記特定表示の変化に伴って特定音（例えば、保留変化音等）を出力可能な特定音出力手段（例えば、保留変化音を出力するスピーカ８等）と、を備え、前記特定音出力手段は、前記特定音を出力するときに、前記所定音の出力を制限する（例えば、保留変化音を出力するときには、入賞音の出力を制限する等）ことを特徴とする。
【０００７】
上記構成によれば、演出効果の低下を防ぐことができる。
【０００８】
上記（１）に係る遊技機において、前記特定音の出力中に前記所定音が出力される場合に、前記所定音の出力が制限される（例えば、保留変化音が出力されているときに、入賞音の出力が制限される等）ようにしてもよい。
【０００９】
上記構成によれば、演出効果の低下を防ぐことができる。
【００１０】
上記（１）または（２）の遊技機において、前記所定音の出力中に前記特定音が出力される場合に、前記所定音の出力が制限される（例えば、入賞音が出力されているときに保留変化音を出力する場合に、入賞音の出力を制限して保留変化音を出力する等）ようにしてもよい。
【００１１】
上記構成によれば、演出効果の低下を防ぐことができる。
【００１２】
上記（１）〜（３）のいずれかの遊技機において、前記特定音が出力された後の所定期間に、前記所定音の出力が制限される（例えば、保留変化音が出力された後第１待機時間Ｌ１が経過するまで入賞音の出力を制限する等）ようにしてもよい。
【００１３】
上記構成によれば、演出効果の低下を防ぐことができる。
【００１４】
上記（１）〜（４）のいずれかの遊技機において、前記変化演出として入賞時変化演出（例えば、遊技球が第１始動入賞口または第２始動入賞口に入賞したタイミングで、既に表示されている第１保留表示や第２保留表示が予告態様に変化する演出等）を含み、前記入賞時変化演出の実行に伴って前記特定音を出力可能（例えば既に表示されている第１保留表示や第２保留表示が予告態様に変化するときに保留変化音を出力可能等）であり、該特定音が出力されるときに前記所定音の出力が制限される（例えば、既に表示されている第１保留表示や第２保留表示が予告態様に変化するときに保留変化音を出力し、入賞音の出力を制限する等）ようにしてもよい。
【００１５】
上記構成によれば、演出効果の低下を防ぐことができる。
【００１６】
上記（１）〜（５）のいずれかの遊技機において、前記変化演出として追加時保留演出（例えば、第１始動入賞の発生時に第１始動入賞記憶表示エリア５ＨＬに追加する第１保留表示や第２始動入賞の発生時に第２始動入賞記憶表示エリア５ＨＲに追加する第２保留表示を予告態様で表示する演出等）を含み、前記追加時保留演出の実行に伴って前記特定音を出力可能（例えば、第１始動入賞の発生時に第１始動入賞記憶表示エリア５ＨＬに追加する第１保留表示や第２始動入賞の発生時に第２始動入賞記憶表示エリア５ＨＲに追加する第２保留表示を予告態様で表示するときに追加時保留音を出力可能等）であり、該特定音が出力されるときに前記所定音の出力が制限される（例えば、第１始動入賞の発生時に第１始動入賞記憶表示エリア５ＨＬに追加する第１保留表示や第２始動入賞の発生時に第２始動入賞記憶表示エリア５ＨＲに追加する第２保留表示を予告態様で表示するときに追加時保留音を出力し、入賞音の出力を制限する等）ようにしてもよい。
【００１７】
上記構成によれば、演出効果の低下を防ぐことができる。
【００１８】
上記（１）〜（６）のいずれかの遊技機において、前記特定表示に関する所定条件が成立している（例えば、第１保留変化有無決定テーブルまたは第２保留変化有無決定テーブルを参照して第１保留表示または第２保留表示の保留変化演出を実行すると決定し、第１始動入賞または第２始動入賞が発生したものの、第１特図保留記憶数または第２特図保留記憶数が上限値（例えば４個）となっていて第１始動条件または第２始動条件が成立しない場合）場合に、前記特定音の出力は可能であるのに対して、前記所定音の出力が不可能とされている（例えば、既に表示されている第１保留表示や第２保留表示が予告態様に変化するとき（入賞時保留演出による変化を含む）に保留変化音を規定の保留変化音音量で出力し、入賞音の音量を０として出力するか出力しない等）ようにしてもよい。
【００１９】
上記構成によれば、特定表示に対する興味の低下を防ぐことができる。
【００２０】
上記（１）〜（７）のいずれかの遊技機において、エラーが発生していることを報知するエラー報知手段（例えば、警告音を出力するスピーカ８等）をさらに備え、前記エラーの報知中は前記所定音及び前記特定音の出力が制限される（例えば、スピーカ８から警告音が出力されておりときには、入賞音及び保留変化音の出力が制限される等）ようにしてもよい。
【００２１】
上記構成によれば、遊技者の意識をエラー報知に向かせることができる。
【００２２】
また、複数の音を同時に発音可能な遊技機であって、発音される音が、優先度の高い第１音（例えば、高ベース状態のときにスピーカ８から出力される保留変化音等）か、前記第１音よりも優先度の低い第２音（例えば、高ベース状態のときにスピーカ８から出力される入賞音等）かを判定する優先度判定処理（例えば、演出制御用ＣＰＵ１２０等）と、前記第１音と前記第２音とが同時に発音されるときに、前記第２音の一部周波数帯域を減衰させる減衰処理（例えば、高ベース状態のときに出力される入賞音に関するデータである音声制御データに対して行われるフィルタリング処理等）と、を実行し、前記減衰処理における前記一部周波数帯域は、前記第１音に対応する周波数帯域（例えば、高ベース状態のときに出力される保留変化音に対応する周波数領域等）であることを特徴とする遊技機であってもよい。
【００２３】
上記構成によれば、遊技機において同時に複数の音を発音する場合、優先度の高い音を第１音、優先度の低い音を第２音と判定し、第２音に対して減衰処理を行うことで、第２音によるマスキングを抑制し、遊技者等の聴取者に聞かせたい第１音を的確に聴取させることが可能となる。また、第１音と異なる周波数帯域については第２音も聴取させることが可能である。
【００２４】
また、可変表示を行ない、遊技者にとって有利な有利状態に制御可能な遊技機であって、演出を実行可能な演出実行手段（演出制御用ＣＰＵ１２０等）を備え、前記演出実行手段は、作用表示（例えば、カラーボール等）を作用させることにより前記特定表示の表示態様を変化させる特定演出（例えば、キャラクタがカラーボールを保留表示に向けて投げて、カラーボールが保留表示に衝突すると保留表示の色が変わる演出等）を実行可能であり、前記作用表示の表示を開始し、所定期間経過後に前記特定表示の表示態様を変化させる第１パターン（例えば、キャラクタが保留表示に向けて投げたカラーボールが保留表示に衝突して保留表示の色が変わる成功パターンの演出等）と、前記作用表示の表示を開始し、所定期間経過後に前記特定表示の表示態様を変化させない第２パターン（例えば、キャラクタが保留表示向けて投げたカラーボールが保留表示に衝突せず保留表示の色が変わらない失敗パターンの演出等）とを実行可能であり、前記作用表示の表示を開始した後、前記第１パターンと前記第２パターンとの所定期間における共通のタイミングにおいて、対象となる前記特定表示に対する前記作用表示の速度を減速させて表示可能（例えば、成功パターンと失敗パターンとで同じタイミングでカラーボールの速度の減速を開始させる表示が可能である等）であり、前記作用表示の速度を減速させて表示する場合に、対象となる前記特定表示および前記作用表示と、対象となる前記特定表示および前記作用表示以外の表示とのうち、少なくともいずれか一方の表示態様を前記作用表示の速度を減速させて表示する前の表示態様から変化させて表示可能（例えば、作用表示の速度を減速させて表示する場合に、始動入賞記憶表示エリア５Ｈ、アクティブ表示エリアＡＨＡ、及びカラーボール以外の表示態様を、カラーボールを減速させて表示する前の表示態様と異なり薄暗く表示する等）である、遊技機であってもよい。
【００２５】
上記構成によれば、作用表示に変化を与えることによって遊技の興趣を向上させることができる。また、対象となる所定表示が変化するか否かを効果的に煽ることができる。
【図面の簡単な説明】
【００２６】
【図１】パチンコ遊技機の正面図である。
【図２】パチンコ遊技機に搭載された各種の制御基板などを示す構成図である。
【図３】演出制御プロセス処理を示すフローチャートである。
【図４】入賞時演出決定処理の一例を示すフローチャートである。
【図５】入賞音決定処理の一例を示すフローチャートである。
【図６】可変表示開始設定処理の一例を示すフローチャートである。
【図７】保留変化音決定処理の一例を示すフローチャートである。
【図８】画像表示装置の表示領域における表示動作例を示す図である。
【図９】画像表示装置の表示領域における表示動作例を示す図である。
【図１０】演出音出力の時間変化の一例を示すタイムチャートである。
【図１１】演出音出力の時間変化の一例を示すタイムチャートである。
【図１２】演出音出力の時間変化の一例を示すタイムチャートである。
【図１３】演出音出力の時間変化の一例を示すタイムチャートである。
【図１４】演出音出力の時間変化の一例を示すタイムチャートである。
【図１５】演出音出力の時間変化の一例を示すタイムチャートである。
【図１６】演出音出力の時間変化の一例を示すタイムチャートである。
【図１７】演出音出力の時間変化の一例を示すタイムチャートである。
【図１８】演出音出力の時間変化の一例を示すタイムチャートである。
【発明を実施するための形態】
【００２７】
＜パチンコ遊技機＞
はじめに、図面を参照しつつ、パチンコ遊技機について詳細に説明する。図１は、パチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２８】
遊技盤２における遊技領域の下側部分には、普通入賞球装置６Ａと普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）第２始動入賞口を形成する。
【００２９】
普通入賞球装置６Ａが形成する第１始動入賞口を通過（進入）した遊技球は、例えば図２に示す第１始動口スイッチ２２Ａによって検出される。普通可変入賞球装置６Ｂが形成する第２始動入賞口を通過（進入）した遊技球は、例えば図２に示す第２始動口スイッチ２２Ｂによって検出される。
【００３０】
なお、始動入賞口（第１始動入賞口、第２始動入賞口）や大入賞口（後述）などの入賞口を通過（進入）した遊技球が、夫々の入賞口に対応して設けられたスイッチ（第１始動口スイッチ２２Ａ、第２始動口スイッチ２２Ｂ、カウントスイッチ２３（後述））によって検出されることを「入賞」と称する。「入賞」のうち、始動入賞口（第１始動入賞口または第２始動入賞口）への入賞を「始動入賞」と称し、特に、第１始動入賞口への入賞を第１始動入賞と称し、第２始動入賞口への入賞を第２始動入賞と称する。
【００３１】
第１始動入賞または第２始動入賞の発生に基づいて、所定個数（例えば３個）の遊技球が賞球として払い出されるとともに、第１特図保留記憶数または第２特図保留記憶数が所定の上限値（例えば「４」）以下であれば、第１特別図柄表示装置４Ａまたは第２特別図柄表示装置４Ｂにおいて実行される第１特図ゲームまたは第２特図ゲームや画像表示装置５において実行される飾り図柄の可変表示といった可変表示ゲームを実行するための第１始動条件が成立する。
【００３２】
また、第２始動入賞の発生（第２始動口スイッチ２２Ｂによる遊技球の検出）に基づいて、所定個数（例えば３個）の遊技球が賞球として払い出されるとともに、第２特図保留記憶数（後述）が所定の上限値（例えば「４」）以下であれば、第２特別図柄表示装置４Ｂにおいて実行される第２特図ゲーム（後述）や画像表示装置５において実行される飾り図柄の可変表示（後述）といった可変表示ゲームを実行するための第２始動条件（第２実行条件とも称する）が成立する。なお、第１始動入賞に基づいて払い出される賞球の個数と、第２始動入賞に基づいて払い出される賞球の個数とは、互いに同一の個数であってもよいし、異なる個数であってもよい。
【００３３】
第１特図保留記憶数とは、第１始動入賞の発生時には直ちに実行されずに実行が一旦保留されている可変表示ゲーム（第１始動入賞の発生による可変表示ゲーム）の数である。第１始動入賞の発生によって、第１特図ゲーム（後述）や飾り図柄の可変表示（後述）といった可変表示ゲームを実行するための第１始動条件は成立した場合であっても、第１始動入賞の発生による上述の可変表示ゲームの開始を許容する第１開始条件が成立していない場合（例えば、先に成立した第１開始条件又は第２開始条件に基づく可変表示ゲームが実行中であることやパチンコ遊技機１が大当り遊技状態に制御されている場合）には、当該可変表示ゲームの実行は保留される（当該可変表示ゲームは実行待ちの状態となる）。つまり、第１特図保留記憶数とは、実行待ちの状態となった第１始動入賞の発生による可変表示ゲームのゲーム数である。第１特図保留記憶数は、第１開始条件が１つ成立する毎に１つずつ減少する。
【００３４】
なお、ある第１始動入賞による第１始動条件は成立したが、当該第１始動入賞による可変表示ゲームの開始を許容する第１開始条件が成立していない当該第１始動入賞に対応する可変表示に関する情報は、当該第１始動入賞による可変表示ゲームの開始を許容する第１開始条件が成立する迄、保留データ（第１特図保留情報）として記憶（保留）される。換言すれば、保留されていた第１特図保留情報は第１開始条件が成立する毎に１つずつ消化され、消化される第１特図保留情報に基づく可変表示ゲームが実行される。
【００３５】
第２特図保留記憶数とは、第２始動入賞の発生時には直ちに実行されずに実行が一旦保留されている可変表示ゲーム（第２始動入賞の発生による可変表示ゲーム）の数である。第２始動入賞の発生によって、第２特図ゲーム（後述）や飾り図柄の可変表示（後述）といった可変表示ゲームを実行するための第２始動条件は成立した場合であっても、第２始動入賞の発生による上述の可変表示ゲームの開始を許容する第２開始条件が成立していない場合（例えば、先に成立した第１開始条件又は第２開始条件に基づく可変表示ゲームが実行中であることやパチンコ遊技機１が大当り遊技状態に制御されている場合）には、当該可変表示ゲームの実行は保留される（当該可変表示ゲームは実行待ちの状態となる）。つまり、第２特図保留記憶数とは、実行待ちの状態となった第２始動入賞の発生による可変表示ゲームのゲーム数である。第２特図保留記憶数は、第２開始条件が１つ成立する毎に１つずつ減少する。
【００３６】
なお、ある第２始動入賞による第２始動条件は成立したが、当該第２始動入賞による可変表示ゲームの開始を許容する第２開始条件が成立していない当該第２始動入賞に対応する可変表示に関する情報は、当該第２始動入賞による可変表示ゲームの開始を許容する第２開始条件が成立する迄、保留データ（第２特図保留情報）として記憶（保留）される。換言すれば、保留されていた第２特図保留情報は、第２開始条件が成立する毎に１つずつ消化され、消化される第２特図保留情報に基づく可変表示ゲームが実行される。
【００３７】
なお、第１特図保留記憶数と第２特図保留記憶数とを加算した保留記憶数を「合計保留記憶数」と称する。第１特図保留記憶数と、第２特図保留記憶数と、合計保留記憶数とを特に区別しない場合には、通常、単に「特図保留記憶数」または「保留記憶数」と称するが、単に「特図保留記憶数」または「保留記憶数」と称した場合に、第１特図保留記憶数、第２特図保留記憶数、合計保留記憶数の何れか１つ又は２つを指すこともあるものとする。また、第１始動条件と、第２始動条件とを特に区別しない場合には、単に「始動条件」又は「実行条件」とも称する。また、第１開始条件と、第２開始条件とを特に区別しない場合には、単に「開始条件」とも称する。また、第１特図保留情報と、第２特図保留情報とを、特に区別しない場合には、単に「特図保留情報」とも称する。
【００３８】
遊技盤２における遊技領域の下側部分には、特別可変入賞球装置７が設けられている。特別可変入賞球装置７は、遊技球が通過（進入）できない閉鎖状態と、遊技球が通過（進入）できる開放状態とに変化する大入賞口を形成する。具体的には、特別可変入賞球装置７は、例えば図２に示す大入賞口扉用のソレノイド８２によって開閉駆動される大入賞口扉を備え、大入賞口扉の開閉によって大入賞口の状態（開放状態、閉鎖状態）を変化させる。開放状態となった大入賞口を通過（進入）した遊技球は、例えば図２に示すカウントスイッチ２３によって検出される。つまり、大入賞口を開放状態とすることによって、大入賞口への入賞が発生する。
【００３９】
大入賞口への入賞の発生に基づいて、所定個数（例えば１２個）の遊技球が賞球として払い出される。大入賞口への入賞の発生に基づいて払い出される賞球の個数（例えば１２個）は、第１始動入賞または第２始動入賞の発生に基づいては払い出される賞球の個数（例えば３個）よりも多い。
【００４０】
遊技盤２における遊技領域の右側部分には、第１特別図柄表示装置４Ａと、第２特別図柄表示装置４Ｂとが設けられている。第１特別図柄表示装置４Ａは、例えば７セグメントやドットマトリクスのＬＥＤ（発光ダイオード）等から構成される。第２特別図柄表示装置４Ｂについても同様である。第１特別図柄表示装置４Ａは、各々を識別可能な複数種類の識別情報（特別識別情報）である特別図柄（「特図」ともいう）を変動可能に表示（可変表示）する。第２特別図柄表示装置４Ｂについても同様である。
【００４１】
第１特別図柄表示装置４Ａ（第２特別図柄表示装置４Ｂも同様）は、特図ゲームとして、「０」〜「９」を示す数字や「−」を示す記号等から構成される複数種類の特別図柄を可変表示する。夫々の特別図柄には、夫々に対応した図柄番号が付されている。一例として、「０」〜「９」を示す各数字には「０」〜「９」の各図柄番号が付され、「−」を示す記号には「１０」の図柄番号が付されていればよい。なお、特別図柄は、「０」〜「９」を示す数字や「−」を示す記号等から構成されるものに限定されない。
【００４２】
遊技盤２における遊技領域の右側部分（第１特別図柄表示装置４Ａと第２特別図柄表示装置４Ｂの上部）には、第１保留表示器２５Ａと第２保留表示器２５Ｂとが設けられている。第１保留表示器２５Ａ及び第２保留表示器２５Ｂは、いずれも例えば４個のＬＥＤを含んで構成され、点灯させるＬＥＤの数によって、保留データ（第１特図保留情報及び第２特図保留情報）に基づく第１特図保留記憶数及び第２特図保留記憶数（第１特図ゲーム及び第２特図ゲームの保留数）を特定可能に表示する第１保留表示及び第２保留表示が行われる。
【００４３】
遊技盤２における遊技領域の左側部分には、通過ゲート４１と、普通図柄表示器２０と、普図保留表示器２５Ｃとが設けられている。通過ゲート４１を通過した遊技球は、例えば図２に示すゲートスイッチ２１によって検出される。通過ゲート４１を通過した遊技球がゲートスイッチ２１によって検出されたことに基づいて、普図保留記憶数（後述）が所定の上限値（例えば「４」）以下であれば、普通図柄表示器２０において実行される普図ゲーム（後述）を実行するための普図始動条件が成立する。
【００４４】
普通図柄表示器２０は、第１特別図柄表示装置４Ａや第２特別図柄表示装置４Ｂと同様に７セグメントやドットマトリクスのＬＥＤ等から構成される。普通図柄表示器２０は、特別図柄とは異なる複数種類の識別情報である普通図柄（「普図」ともいう）を変動可能に表示（可変表示）する。なお、普通図柄を可変表示させる可変表示ゲームを普図ゲームとも称する。
【００４５】
普図保留表示器２５Ｃは、例えば４個のＬＥＤを含んで構成され、例えば点灯させるＬＥＤの数によって、保留データ（普図保留情報）に基づく普図保留記憶数を表示する。普図保留記憶数とは、通過ゲート４１を通過した遊技球がゲートスイッチ２１によって検出されたときには直ちに実行されずに実行が一旦保留されている普図ゲームの数である。普図保留記憶数は、普図開始条件が１つ成立する毎に１つずつ減少する。
【００４６】
遊技盤２における遊技領域の中央付近には、画像表示装置５が設けられている。画像表示装置５は、例えばＬＣＤ（液晶表示装置）等から構成され、各種の演出画像を表示する表示領域を形成している。
【００４７】
画像表示装置５の表示領域には、飾り図柄表示エリアが配置されている。飾り図柄表示エリアでは、各々を識別可能な複数種類の識別情報（装飾識別情報）である飾り図柄が可変表示される。装飾識別情報（飾り図柄）の可変表示も、可変表示ゲームに含まれる。画像表示装置５は、第１特別図柄表示装置４Ａが実行する第１特図ゲーム（第１特図を用いた特図ゲーム）、又は、第２特別図柄表示装置４Ｂが実行する第２特図ゲーム（第２特図を用いた特図ゲーム）に対応して、表示領域（飾り図柄表示エリア）において、複数種類の飾り図柄の可変表示を実行する。
【００４８】
一例として、図１に示すように、画像表示装置５の表示領域には、「左」、「中」、「右」の飾り図柄が配置されている。第１特図ゲーム又は第２特図ゲームのうち何れかの特図ゲームの開始に対応して、即ち、第１特図又は第２特図のうち何れかの特図の変動の開始に対応して、飾り図柄表示エリア５Ｌ、５Ｃ、５Ｒの夫々において、飾り図柄の変動（例えば上下方向のスクロール表示）が開始される。その後、特図ゲームの終了に対応して、即ち、特図の停止表示に対応して、飾り図柄表示エリア５Ｌ、５Ｃ、５Ｒの夫々において、可変表示結果となる飾り図柄（確定飾り図柄、最終停止図柄とも称する）が停止表示（導出表示）される。
【００４９】
また、画像表示装置５の表示領域には、第１始動入賞記憶表示エリア５ＨＬ、及び、第２始動入賞記憶表示エリア５ＨＲが配置されている。第１始動入賞記憶表示エリア５ＨＬでは、第１保留表示器２５Ａと同様、第１特図保留記憶数を特定可能に表示する第１保留表示が行われる。つまり、現在、実行が保留されている第１特図ゲームの数を特定可能に表示する。第１始動入賞記憶表示エリア５ＨＬでは、第２保留表示器２５Ｂと同様、第２特図保留記憶数を特定可能に表示する第２保留表示が行われる。つまり、現在、実行が保留されている第２特図ゲームの数を特定可能に表示する。
【００５０】
なお、第１始動入賞記憶表示エリア５ＨＬでは、例えば右詰めで、第１保留表示が行われるようにしてもよい。つまり、新たな第１始動条件の成立によって第１特図ゲームの保留数が増加したときは、第１始動入賞記憶表示エリア５ＨＬに他の第１保留表示がなければ、第１始動入賞記憶表示エリア５ＨＬの右側（画像表示装置５の表示領域の中央側）に増加分の第１特図保留情報に対応する保留表示として新たな第１保留表示を追加し、第１始動入賞記憶表示エリア５ＨＬに他の第１保留表示があれば、当該他の第１保留表示の左側（複数の他の第１保留表示があれば最も左側の第１保留表示の更に左側）に上記新たな第１保留表示を追加するようにしてもよい。また、第１始動入賞記憶表示エリア５ＨＬに複数の第１保留表示がある場合に、新たな第１開始条件の成立によって第１特図ゲームの保留数が減少したときは、減少分の第１特図保留情報に対応する保留表示に相当する第１始動入賞記憶表示エリア５ＨＬの最も右側に表示されている第１保留表示（一番古くから表示されている第１保留表示）を消去し、他の第１保留表示の夫々を、消去した第１保留表示側（右側）に移動（シフト）する。
【００５１】
また、第２始動入賞記憶表示エリア５ＨＲでは、例えば左詰めで、第２保留表示が行われるようにしてもよい。つまり、新たな第２始動条件の成立によって第２特図ゲームの保留数が増加したときは、第２始動入賞記憶表示エリア５ＨＲに他の第２保留表示がなければ、第２始動入賞記憶表示エリア５ＨＲの左側（画像表示装置５の表示領域の中央側）に増加分の第２特図保留情報に対応する保留表示として新たな第２保留表示を追加し、第２始動入賞記憶表示エリア５ＨＲに他の第２保留表示があれば、当該他の第２保留表示の右側（複数の他の第２保留表示があれば最も右側の第２保留表示の更に右側）に上記新たな第２保留表示を追加するようにしてもよい。
【００５２】
また、第２始動入賞記憶表示エリア５ＨＲに複数の第２保留表示がある場合に、新たな第２開始条件の成立によって第２特図ゲームの保留数が減少したときは、減少分の第２特図保留情報に対応する保留表示に相当する第２始動入賞記憶表示エリア５ＨＲの最も左側に表示されている第２保留表示（一番古くから表示されている第２保留表示）を消去し、他の第２保留表示の夫々を、消去した第２保留表示側（左側）に移動（シフト）する。なお、第１始動入賞記憶表示エリア５ＨＬと第２始動入賞記憶表示エリア５ＨＲとを特に区別しない場合には、単に、「始動入賞記憶表示エリア５Ｈ」とも称する。
【００５３】
また、画像表示装置５の表示領域には、保留表示のエリアとして、第１始動入賞記憶表示エリア５ＨＬや第２始動入賞記憶表示エリア５ＨＲの他に、第１始動入賞記憶表示エリア５ＨＬや第２始動入賞記憶表示エリア５ＨＲから消去された（移動された）保留表示（即ち、第１開始条件の成立によって消化される第１特図保留情報や、第２開始条件の成立によって消化される第２特図保留情報に基づき実行される飾り図柄の可変表示に対応する保留表示に応じたアクティブ表示（消化時表示、今回表示などとも称する）を含む情報を表した特別画像を表示するアクティブ表示エリアＡＨＡ（消化時表示領域、消化時表示エリア、今回保留表示領域、今回保留表示エリア、アクティブ保留表示領域、アクティブ保留表示エリア、アクティブ表示領域、今回表示領域、今回表示エリア、消化時表示部などとも称する。）が、例えば、第１始動入賞記憶表示エリア５ＨＬと第２始動入賞記憶表示エリア５ＨＲとの間が配置されている。
【００５４】
本実施形態におけるパチンコ遊技機１では、図１に示すように、第１始動入賞記憶表示エリア５ＨＬと第２始動入賞記憶表示エリア５ＨＲとの間にアクティブ表示エリアＡＨＡを配置しているが、アクティブ表示エリアＡＨＡは、画像表示装置５の表示領域の何れかの位置に配置されていればよい。また、本実施形態におけるパチンコ遊技機１では、アクティブ表示のほかには、アクティブ表示を囲うアクティブ表示枠、アクティブ表示またはアクティブ表示の周囲やアクティブ表示枠の周囲に表示される文字や画像などのアクティブ表示に応じた情報などが特別画像によって表示される。
【００５５】
遊技盤２における遊技領域には、上記の構成以外にも、遊技球の流下方向や速度を変化させる風車及び多数の障害釘が設けられている。遊技領域の最下方には、何れの入賞口にも進入しなかった遊技球が取り込まれるアウト口が設けられている。
【００５６】
遊技機用枠３の右下部位置には、遊技媒体としての遊技球を遊技領域に向けて発射するために遊技者等によって操作される打球操作ハンドル（操作ノブ）が設けられている。打球操作ハンドルには、打球発射装置が備える発射モータの駆動を停止させるための単発発射スイッチや、タッチリング（タッチセンサ）が設けられていればよい。
【００５７】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００５８】
下皿を形成する部材には、例えば下皿本体の上面における手前側の所定位置（例えば下皿の中央部分）などに、遊技者が把持して奥・手前・左・右方向に傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００５９】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００６０】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。
【００６１】
遊技機用枠３の遊技領域の周辺部には、音声出力部材が設けられている。図１に示した一例では、遊技機用枠３の左右上部位置に、スピーカ８ＵＬ、スピーカ８ＵＲを設置し、上皿の左右斜下部（下皿の左右斜上部）に、スピーカ８ＬＬ、スピーカ８ＬＲを設置している。以下、スピーカ８ＵＬ、８ＵＲ、８ＬＬ、８ＬＲの夫々を特に区別しない場合には、単に、スピーカ８と称する。スピーカ８は、音声（音及び声）を出力（再生）する。例えば、スピーカ８は、遊技機１の遊技の進行状況に応じて演出音（効果音とも称する）を出力し、遊技機１の状況に応じて警告音（エラー音）を出力する。
【００６２】
演出音には、音楽、検出音、応答音、報知音などが含まれる。演出音における音楽とは、例えば、遊技の進行状況に応じて出力されるＢＧＭ、歌などである。演出音における検出音とは、例えば、スイッチやセンサによる検出結果（例えば、第１始動入賞口等への入賞の検出など）に応じて出力される音、声（セリフ、メッセージ）などである。演出音における応答音とは、例えば、プッシュボタン３１Ｂへの操作行為に応じて出力される音、声などである。なお、プッシュボタン３１Ｂへの操作行為は、プッシュセンサによって検出されるものでもあるため、プッシュボタン３１Ｂへの操作行為に応じて出力される応答音は検出音でもある。演出音における報知音とは、例えば、プッシュボタン３１Ｂへの操作行為を要求するために報知する音、声や、リーチ状態（後述）の移行時にリーチ状態に移行する旨を報知する音、声や、大当り遊技状態への移行前に大当り遊技状態に移行する旨を予告又は示唆する音、声などである。また、演出音には、遊技球が入賞口に入賞したときに出力される入賞音や、保留変化があったときに出力される保留変化音などが含まれる。入賞音は検出音の一種であり、保留変化音は報知音の一種である。入賞音及び保留変化を発生させるための条件や手順等については後に説明する。
【００６３】
警告音（エラー音）の一例は、遊技球が下皿に過剰に保持（貯留）されているときの皿満タンエラー時に出力される警告音である皿満タンエラー音、ガラス扉（非図示）が開放しているときの扉開放エラー時に出力される警告音である扉開放エラー音、遊技機に磁気が近づけられているときの磁気エラー時に出力される警告音である磁気エラー音などが挙げられる。これらの皿満タンエラー音、扉開放エラー音、磁気エラー音などは、同一の音であってもよいし異なる音であってもよい。また、エラーの重要度に応じて異なる音となるようにしてもよい。例えば、パチンコ遊技機１の遊技を継続しても大きな支障はないが、なるべく早く解消したいいわば軽エラーと、遊技を継続すると大きな支障が生じる可能性があるいわば重エラーとで異なる音となるようにしてもよい。上記の各エラーの内、皿満タンエラーは軽エラーに相当し、扉開放エラーや磁気エラーは、不正に遊技球を抜き取られる可能性がある重エラーに相当する。軽エラーが発生している際の軽エラー音は、小さい目立ちにくい音とし、重エラーが発生している際の重エラー音は、大きく目立ちやすい音としてもよい。
【００６４】
遊技機用枠３の遊技領域の内部には、可動役物１７３が設けられている。可動役物１７３は演出動作として遊技機用枠３の領域内において上下動作を行うものとする。図１は可動役物１７３が原点位置にある場合を示している。可動役物１７３は、演出動作として、原点位置から下降して、画像表示装置５の表示画面中央部を動作端として停止して画像表示装置５の表示画面の一部を隠し、再び原点位置に戻る動作を行う。また、可動役物１７３は、演出動作として、原点位置から下降して、動作端まで下降せずに画像表示装置５の上部で停止して、再び原点位置に戻る動作を行う。可動役物１７３は、演出動作として、激しく上下動作を繰り返したり、回転したりしてもよい。また、可動役物１７３が動作するときには、後述する発光部材９ＣＣを点灯する演出動作を行ってもよい。
【００６５】
遊技機用枠３の遊技領域の内部及び周辺部には、演出又は装飾として発光する発光部材（発光体）が設けられている。図１に示した一例では、画像表示装置５の上部位置に発光部材９ＣＣ、画像表示装置５の左右位置に発光部材９ＣＬ、発光部材９ＣＲを設置し、遊技機用枠３の上部位置に発光部材９Ｕ、遊技機用枠３の左右位置に発光部材９ＳＬ、発光部材９ＳＲを設置している。以下、発光部材９ＣＣ、９ＣＬ、９ＣＲ、９Ｕ、９ＳＬ、９ＳＲの夫々を特に区別しない場合には、総称してランプ９と称する。
【００６６】
次に、パチンコ遊技機１における遊技の進行を概略的に説明する。
【００６７】
パチンコ遊技機１では、普図始動条件が成立した後に普図開始条件が成立したことに基づいて、普通図柄表示器２０による普図ゲームが開始される。普図ゲームでは、普通図柄の可変表示を開始させた後、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００６８】
パチンコ遊技機１では、第１始動条件が成立した後に第１開始条件が成立したことに基づいて、第１特別図柄表示装置４Ａによる特図ゲーム（第１特図ゲーム）が開始され、第２始動条件が成立した後に第２開始条件が成立したことに基づいて、第２特別図柄表示装置４Ｂによる特図ゲーム（第２特図ゲーム）が開始される。特図ゲームでは、特別図柄の可変表示を開始させた後（特別図柄の変動を開始させた後）、特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「ハズレ」となる。
【００６９】
パチンコ遊技機１は、第１始動入賞または第２始動入賞が発生して第１始動条件または第２始動条件が成立した場合には、入賞音の出力（発生）の制限をしないときに、演出音として入賞音を出力する（発生させる）。なお、第１始動入賞が発生したものの、第１特図保留記憶数が上限値（例えば４個）となっていて第１始動条件が成立しない場合でも、第１始動入賞の発生によって入賞音を出力するようにしてもよい。同様に、第２始動入賞が発生したものの、第２特図保留記憶数（例えば４個）が上限値となっていて第２始動条件が成立しない場合でも、第２始動入賞の発生によって入賞音を出力するようにしてもよい。または、第１始動入賞または第２始動入賞が発生して第１始動条件または第２始動条件が成立した場合には入賞音を出力せず、第１始動入賞または第２始動入賞が発生したものの、第１特図保留記憶数または第２特図保留記憶数が上限値（例えば４個または８個）となっていて第１始動条件または第２始動条件が成立しない場合に、第１始動入賞または第２始動入賞の発生によって入賞音を出力するようにしてもよい。
【００７０】
入賞音は、第１始動条件または第２始動条件が成立し、入賞音の出力の制限をしない場合には常に出力するようにしてもよいし、第１始動条件または第２始動条件が成立し、入賞音の出力の制限をしない場合であって、さらに所定の条件、例えば所定の割合で入賞音を出力するか否かの決定（抽選）を行い、この決定（抽選）によって入賞音を出力するとして所定の条件を満たしたときに出力するようにしてもよい。また、第１始動条件が成立した場合、入賞音の出力の制限をしないときには入賞音を常に発生させ、第２始動条件が成立した場合、入賞音の出力の制限をしないときには、さらに所定の条件を満たしたときに入賞音を出力するようにしてもよい。あるいは、第２始動条件が成立した場合、入賞音の出力の制限をしないときには入賞音を常に発生させ、第１始動条件が成立し場合、入賞音の出力の制限をしないときには、さらに所定の条件を満たしたときに入賞音出力するようにしてもよい。また、第１始動条件が成立した場合の入賞音と、第２始動条件が成立した場合の入賞音は、共通の音でもよいし異なる音でもよい。
【００７１】
特図ゲームでの可変表示結果が「大当り」になった後には、パチンコ遊技機１は、特定遊技状態である大当り遊技状態に制御される。パチンコ遊技機１は、大当り遊技状態において、遊技者にとって有利なラウンド（「ラウンド遊技」ともいう）を、所定の回数（所定のラウンド数）、実行する。ラウンドは、大入賞口の開放サイクルである。
【００７２】
パチンコ遊技機１は、特図ゲームでの可変表示結果が「大当り」になった後の各ラウンド（各回のラウンド）において、特別可変入賞球装置７の大入賞口扉を開閉させて、大入賞口の状態（開放状態、閉鎖状態）を変化させる。例えば、パチンコ遊技機１は、ラウンドの開始時に大入賞口を閉鎖状態から開放状態に変化させ、その後、大入賞口を開放状態から閉鎖状態に変化させる。つまり、パチンコ遊技機１は、ラウンドの開始時に大入賞口扉を開いて大入賞口を開放状態に維持し、その後、大入賞口扉を閉じて大入賞口を閉鎖状態に維持し、１回のラウンドを終了させる。
【００７３】
ラウンドにおいて大入賞口は、大入賞口扉を開いた後に所定の時間（開放期間）が経過するか、大入賞口への所定個数（例えば９個）の入賞が発生するか、の何れかとなるまでの期間、開放状態に維持される。
【００７４】
ラウンドにおいて大入賞口は、所定の時間（閉鎖期間）が経過するまでの期間、閉鎖状態（ラウンドにおける閉鎖状態）に維持される。例えば、大入賞口を閉鎖状態から開放状態に変化してラウンドが開始する態様の場合には、大入賞口は、大入賞口扉を閉じた後に所定の時間（閉鎖期間）が経過するまでの期間、閉鎖状態に維持される。
【００７５】
以上から、パチンコ遊技機１は、大当り遊技状態において、例えば、大入賞口を開放状態（２９秒間）→閉鎖状態（３秒間）と変化させる各ラウンドを８回実行したり、大入賞口を開放状態（２９秒間）→閉鎖状態（３秒間）と変化させる各ラウンドを１６回実行したり、大入賞口を開放状態（０．１秒間）→閉鎖状態（１秒間）→開放状態（０．１秒間）→閉鎖状態（１秒間）と変化させる各ラウンドを２回実行したりすることができる。
【００７６】
特図ゲームにおける確定特別図柄として通常開放ラウンド大当り図柄が導出された後に制御される大当り遊技状態（通常開放大当り状態）では、通常開放ラウンドが所定の回数（所定のラウンド数）、実行される。また、特図ゲームにおける確定特別図柄として短期開放ラウンド大当り図柄が導出された後に制御される大当り遊技状態（短期開放大当り状態）では、短期開放ラウンドが所定の回数（所定のラウンド数）、実行される。
【００７７】
以上のように、パチンコ遊技機１は、特図ゲームでの可変表示結果が「大当り」になった後に制御される大当り遊技状態として、夫々の大当り遊技状態において遊技者が得る価値、即ち、遊技者から見た有利度（例えば、賞球数（出玉数））を夫々異ならせた多様な大当り遊技状態を用意（実現）することができる。
【００７８】
画像表示装置５の表示領域に配置されている飾り図柄表示エリア５Ｌ、５Ｃ、５Ｒでは、第１特別図柄表示装置４Ａによる第１特図ゲームと、第２特別図柄表示装置４Ｂによる第２特図ゲームとのうち、何れかの特図ゲームが開始されることに対応して、飾り図柄の可変表示が開始される。そして、飾り図柄表示エリア５Ｌ、５Ｃ、５Ｒでは、飾り図柄の可変表示が開始されてから確定飾り図柄の停止表示により可変表示が終了するまでの期間に、飾り図柄の可変表示状態が特定の可変表示の組み合わせの一部を構成する所定のリーチ状態となることがある。
【００７９】
リーチ状態とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部又は一部の飾り図柄が大当り組合せの全部又は一部を構成しながら同期して変動している表示状態のことである。なお、以下の説明において、リーチ状態となることをリーチが成立（リーチ成立）するとも称する。
【００８０】
また、リーチ状態となったことに対応して、飾り図柄の変動速度を低下させたり、画像表示装置５の表示領域に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ状態となる以前とは異なる演出動作が実行される場合がある。このようなキャラクタ画像の表示や背景画像の表示態様の変化、動画像の再生表示、飾り図柄の変動態様の変化といった演出動作を、リーチ演出（又はリーチ演出表示）という。
【００８１】
リーチ演出における演出動作としては、互いに動作態様（リーチ態様）が異なる複数種類の演出パターン（「リーチパターン」ともいう）が、予め用意されていればよい。そして、演出パターンに応じて、リーチ演出後に大当り組合せなどが導出表示される可能性（「大当り期待度」あるいは「大当り信頼度」ともいう）を異ならせてもよい。これにより、複数種類のリーチ演出の何れが実行されるかに応じて、即ち、何れのリーチ演出を出現させるかに応じて、大当り期待度を異ならせることができる。一例として、本実施形態では、ノーマルリーチのリーチ態様と、ノーマルリーチに比べて大当り期待度が高いスーパーリーチのリーチ態様とを予め設定（用意）している。
【００８２】
なお、大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝によって算出される（大当り期待度が「１」になる場合には、可変表示結果は必ず「大当り」になる）。
【００８３】
また、飾り図柄の可変表示中には、可変表示演出の一態様として、飾り図柄などの可変表示動作によって実現される滑り演出や擬似連演出などが実行可能である。滑り演出では、飾り図柄表示エリア５Ｌ、５Ｃ、５Ｒにおける全部にて飾り図柄を変動させてから、複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」又は「２」）の飾り図柄表示エリア（例えば「左」の飾り図柄表示エリア５Ｌと「右」の飾り図柄表示エリア５Ｒの何れか一方又は双方）にて飾り図柄を再び変動させた後に停止表示させることで、停止表示する飾り図柄を変更させる演出表示が行われる。
【００８４】
擬似連演出では、特図ゲームの第１開始条件と第２開始条件の何れか一方が１回成立したことに対応して、飾り図柄の可変表示が開始されてから可変表示結果となる確定飾り図柄が導出表示されるまでに、飾り図柄表示エリア５Ｌ、５Ｃ、５Ｒにおける全部にて飾り図柄（例えば予め定められた擬似連チャンス目などが飾り図柄表示エリア５Ｌ、５Ｃ、５Ｒの何れか一部または全部に表示される）を一旦仮停止表示させた後、飾り図柄表示エリア５Ｌ、５Ｃ、５Ｒにて、再び、全部の飾り図柄の可変表示を開始させる演出表示である再可変表示を、所定回（例えば最大４回まで）行うことができる。
【００８５】
擬似連演出における再可変表示回数は、飾り図柄表示エリア５Ｌ、５Ｃ、５Ｒにおける、全部の飾り図柄が最初に仮停止するまでの初回可変表示の回数（１回）と、全部の飾り図柄が最後に仮停止した後の最終可変表示の回数（１回）と、初回可変表示と最終可変表示の間の再可変表示の回数Ｘ（Ｘは０又は１以上）と、を合算した回数（Ｘ＋２）よりも１回少ない回数（Ｘ＋１）として把握される。また、再可変表示回数は、飾り図柄表示エリア５Ｌ、５Ｃ、５Ｒにおいて全部の飾り図柄が仮停止表示される回数（仮停止回数）と同数となる。なお、初回可変表示〜１回目の仮停止表示を１回目の擬似連とも称し、２回目の可変表示（１回目の再可変表示）〜２回目の仮停止表示を２回目の擬似連とも称し、３回目の可変表示（２回目の再可変表示）〜３回目の仮停止表示を３回目の擬似連とも称し、４回目の可変表示（３回目の再可変表示）〜４回目の仮停止表示を４回目の擬似連とも称する。また、擬似連演出における擬似連の回数を擬似連変動回数（又は、擬似連回数）とも称する。つまり、擬似連変動回数と再可変表示回数と仮停止回数は同数となる。なお、１回目、２回目、３回目、…と擬似連の回数が増えることを「擬似連が継続する」とも称する。
【００８６】
滑り演出（擬似連演出も同様）は、何れかのリーチ演出、若しくはあるリーチ演出が実行される可能性があることや大当り期待度が高いことなどを、遊技者に予告又は示唆するものであってもよい。以下、何れかのリーチ演出若しくはあるリーチ演出が実行される可能性があることや大当り期待度が高いことなどを、遊技者に予告又は示唆するための演出を予告演出と総称する場合がある。
【００８７】
予告演出のうちには、先読予告演出（「事前判定予告演出」ともいう）となるものが含まれていればよい。先読予告演出は、当該予告対象となる可変表示を開始するより前に、当該可変表示を可変表示結果が「大当り」となるか否か等を特図ゲームの保留情報などに基づいて判定し（先読みし）、当該判定結果に基づいて実行する予告演出である。
【００８８】
ある遊技球の入賞による先読予告演出となる演出動作は、当該遊技球の入賞後（始動条件の成立後）、当該先読予告演出が予告する内容が実現されるか否かを遊技者が判別できるよりも前に実行（開始）されるものであればよい。例えば、ある遊技球の入賞による、リーチ状態となる可能性があることを遊技者に予め報知（示唆）するための先読予告演出となる演出動作は、少なくとも当該遊技球の入賞による飾り図柄の可変表示状態がリーチ状態（又は、非リーチ状態）となるより前に実行（開始）されるものであればよい。
【００８９】
なお、先読予告演出（事前判定予告演出）として、第１始動入賞記憶表示エリア５ＨＬにおける第１保留表示や第２始動入賞記憶表示エリア５ＨＲにおける第２保留表示の表示態様による保留演出が用意されている。保留演出には、既に表示されている第１保留表示や第２保留表示が予告態様に変化（ある予告態様から他の予告態様への変化も含む。以下、同様）する演出である保留変化演出がある。保留変化演出を実行するにあたり、既に表示されている第１保留表示や第２保留表示が予告態様に変化する際には、演出音として保留変化音を出力する。また、保留演出には、第１始動入賞の発生時に第１始動入賞記憶表示エリア５ＨＬに追加する第１保留表示や第２始動入賞の発生時に第２始動入賞記憶表示エリア５ＨＲに追加する第２保留表示を予告態様で表示する演出（追加時保留演出）や、第１保留表示や第２保留表示が予告態様に変化するときに実行する演出であって画像表示装置５の表示領域においてキャラクタ等を保留表示に直接的に又は間接的に作用させる演出（保留作用演出）や、第１保留表示や第２保留表示が予告態様に変化しないときに実行する演出であって画像表示装置５の表示領域においてキャラクタ等を保留表示に直接的に又は間接的に作用させる演出（保留作用ガセ演出）などが含まれていてもよい。なお、保留作用演出が実行されたときには、作用対象である第１保留表示（または第２保留表示）の表示態様は変化するが、保留作用ガセ演出が実行されたときには、第１保留表示（または第２保留表示）の表示態様は変化しない。これらの追加時保留演出、保留作用演出、保留作用ガセ演出を実行する際に、それぞれ追加時保留音、保留作用音、保留作用ガセ音などを出力するようにしてもよい。
【００９０】
特図ゲームにおける確定特別図柄として、ハズレ図柄となる特別図柄が停止表示（導出）される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「通常ハズレ」ともいう）の可変表示態様と称される。
【００９１】
特図ゲームにおける確定特別図柄として、ハズレ図柄となる特別図柄が停止表示（導出）される場合には、飾り図柄の可変表示が開始されてから、飾り図柄の可変表示状態がリーチ状態となったことに対応して、リーチ演出が実行された後などに、所定のリーチハズレ組合せとなる確定飾り図柄が停止表示されることがある。このような飾り図柄の可変表示結果は、可変表示結果が「ハズレ」となる場合における「リーチ」（「リーチハズレ」ともいう）の可変表示態様と称される。
【００９２】
本実施形態では、特図ゲームにおける確定特別図柄として、大当り図柄となる特別図柄（「３」、「５」、「７」の数字を示す特別図柄）のうち、「３」の数字を示す特別図柄または「５」の数字を示す特別図柄が停止表示される場合には、「大当り」の一態様である「８Ｒ確変大当り」となる。また、「７」の数字を示す特別図柄が停止表示される場合には、「大当り」の一態様である「１６Ｒ確変大当り」となる。「大当り」における、「８Ｒ確変大当り」、「１６Ｒ確変大当り」、「２Ｒ確変大当り」の別は、「大当り種別」と称する。
【００９３】
１６Ｒ確変大当りとなったことに基づいて、通常開放ラウンドが１６回（ラウンド）実行される通常開放大当り状態に制御され、その終了後には、時短制御（時間短縮制御）とともに確変制御（確率変動制御）が行われる。また、８Ｒ確変大当りとなったことに基づいて、通常開放ラウンドが８回（ラウンド）実行される通常開放大当り状態に制御され、その終了後には、時短制御とともに確変制御が行われる。
【００９４】
確変制御が行われることにより、各回の特図ゲームにおいて可変表示結果が「大当り」となる確率は、通常状態に比べて高くなるように向上する。確変制御は、大当り遊技状態の終了後に、所定のＳＴ回数（確変回数とも称する）の特図ゲームが実行されるときと、可変表示結果が「大当り」となるときとのうち、何れかの条件が先に成立したときに終了する。なお、通常状態とは、大当り遊技状態等の特定遊技状態などとは異なる通常の遊技状態である。パチンコ遊技機１の初期設定状態（例えばシステムリセットが行われた場合のように、電源投入後に初期化処理を実行した状態）と同一の制御が行われる。
【００９５】
また、時短制御が行われることにより、特図ゲームにおける特別図柄の可変表示時間（特図変動時間）は、通常状態に比べて短縮される。時短制御は、大当り遊技状態の終了後に、所定の時短回数の特図ゲームが実行されることと、可変表示結果が「大当り」となることとのうち、何れかの条件が先に成立したときに終了する。従って、時短制御が行われているときに可変表示結果が「大当り」とならなかった場合であっても、所定の時短回数の特図ゲームを消化した場合には、時短制御は終了する。
【００９６】
時短制御が行われるときには、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御が行われる。このように、時短制御に伴い第２始動入賞口に遊技球が進入しやすくして遊技者にとって有利となる制御は、高開放制御ともいう。高開放制御としては、これらの制御の何れか１つが行われるようにしてもよいし、複数の制御が組み合わせられて行われるようにしてもよい。
【００９７】
高開放制御が行われることにより、第２始動入賞口は、高開放制御が行われていないときよりも拡大開放状態となる頻度が高められる。従って、第２特別図柄表示装置４Ｂによる第２特図ゲームを実行するための第２始動条件が成立しやすくなり、第２特図ゲームが頻繁に実行可能となることで、次に可変表示結果が「大当り」となるまでの時間が短縮される。高開放制御が実行可能となる期間は、高開放制御期間ともいい、この期間は、時短制御が行われる期間と同一であればよい。
【００９８】
時短制御と高開放制御とがともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。確変制御のみが行われて時短制御や高開放制御が行われない確変状態は、高確低ベース状態とも称される。なお、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御、及び、高開放制御が何れも行われない通常状態は、低確低ベース状態とも称される。通常状態以外の遊技状態において時短制御や確変制御の少なくとも何れかが行われるときには、特図ゲーム（第２特図ゲーム）が頻繁に実行可能となることや、各回の特図ゲーム（第１特図ゲーム、第２特図ゲーム）における可変表示結果が「大当り」となる確率が高められることにより、遊技者にとって有利な状態となる。大当り遊技状態とは異なる遊技者にとって有利な遊技状態は、特別遊技状態とも称される。
【００９９】
また、８Ｒ確変大当りに対応する大当り組合せとなる確定飾り図柄が導出表示された後には、８回目のラウンドが終了するまでの期間（若しくは、８回目のラウンドの終了後、次の可変表示ゲームが開始されるまで期間）にて、当該大当りが１６Ｒ確変大当りであることを報知するラウンド数昇格演出が実行されてもよい。なお、本実施形態では２Ｒ確変大当りを設けないが、２Ｒ確変大当りを設けたときに、２Ｒ確変大当りに対応する大当り組合せとなる確定飾り図柄が導出表示された場合も同様である。
【０１００】
また、本実施形態では通常大当りを設けないが、通常大当りを設けたときに通常大当りに対応する大当り組合せとなる確定飾り図柄が導出表示された後には、最終のラウンドが終了するまでの期間（若しくは、最終のラウンドの終了後、次の可変表示ゲームが開始されるまで期間）にて、当該大当りが確変大当りであることを報知する確変昇格演出が実行されてもよい。
【０１０１】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【０１０２】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータ（ホールコンピュータ）に対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の識別情報の可変表示を制御する機能も備えている。さらに、主基板１１は、パチンコ遊技機１に発生する異常の判定（エラー判定）を行う機能も備えている。エラー判定によってエラーがあると判定した場合に、不正による不具合を防止するため、警告音を発生させたり、払出制御基板による遊技球の払出しを中断させたりする。エラーが無いと判定した場合は、エラー解除中であるとしてパチンコ遊技機１による遊技を可能な状態としておく。
【０１０３】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【０１０４】
演出制御基板１２は、主基板１１とは独立したサブ側の制御基板であり、中継基板１５を介して主基板１１から伝送された制御信号を受信して、画像表示装置５、スピーカ８及びランプ９といった演出用の電気部品による演出動作を制御するための各種回路が搭載されている。すなわち、演出制御基板１２は、画像表示装置５における表示動作や、スピーカ８からの音声出力動作の全部又は一部、ランプ９などにおける点灯／消灯動作の全部又は一部といった、演出用の電気部品に所定の演出動作を実行させるための制御内容を決定する機能を備えている。
【０１０５】
音声制御基板１３は、演出制御基板１２とは別個に設けられた音声出力制御用の制御基板であり、演出制御基板１２からの指令や制御データなどに基づき、スピーカ８から演出音等の音声を出力させるための音声信号処理を実行する処理回路などが搭載されている。例えば、音声制御基板１３は、演出制御基板１２からの指令や制御データなどに基づき、遊技球が入賞口に入賞したときの入賞音や、保留変化があったときに保留変化音をスピーカ８に出力させる。
【０１０６】
ランプ制御基板１４は、演出制御基板１２とは別個に設けられたランプ出力制御用の制御基板であり、演出制御基板１２からの指令や制御データなどに基づき、ランプ９などにおける点灯／消灯駆動を行うランプドライバ回路などが搭載されている。
【０１０７】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。なお、遊技機１は、ゲートスイッチ２１、第１始動口スイッチ２２Ａ、第２始動口スイッチ２２Ｂ、カウントスイッチ２３に加え、同様に主基板１１に接続する他のスイッチ（例えば、ガラス扉（非図示）の開閉状態を検知するスイッチ、遊技盤２自体の開閉状態を検知するスイッチ、不正な振動を検知するためのスイッチ、不正な電磁波を検知するためのスイッチ）を備えていてもよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【０１０８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。
【０１０９】
演出制御コマンドには、変動開始コマンド（第１変動開始コマンド、第２変動開始コマンド、変動パターン指定コマンド、可変表示結果通知コマンド、図柄確定コマンド、遊技状態指定コマンド、客待ちデモ指定コマンド、停電復旧指定コマンド、エラーコマンド、当り開始指定コマンド（「ファンファーレコマンド」ともいう）、大入賞口開放中通知コマンド、大入賞口開放後通知コマンド、当り終了指定コマンド、始動口入賞指定コマンド（第１始動口入賞指定コマンド、第２始動口入賞指定コマンド）、時短回数指定コマンド、確変回数指定コマンド、保留記憶数通知コマンド（第１保留記憶数通知コマンド、第２保留記憶数通知コマンド）、入賞時判定結果指定コマンド（図柄指定コマンド、変動カテゴリコマンド）、初期化指定コマンド、等のコマンドがある。このうち、遊技状態指定コマンドには、遊技状態が確変状態であるときの確変状態コマンドや遊技状態が時短状態であるときの時短状態コマンドが含まれる。なお、これらのコマンド形態は一例であって、他のコマンド形態を用いてもよい。
【０１１０】
続いて、飾り図柄の変動パターンについて説明する。以下、可変表示結果が「ハズレ」となる場合に対応した変動パターンを「ハズレ変動パターン」と称する。ハズレ変動パターンには、可変表示結果が「ハズレ」となる場合のうち飾り図柄の可変表示態様が「非リーチ」となる場合に対応した「非リーチ変動パターン（「非リーチハズレ変動パターン」「非リーチ（ハズレ）変動パターン」とも称する）」や、可変表示結果が「ハズレ」となる場合のうち飾り図柄の可変表示態様が「リーチ」となる場合に対応した「リーチ変動パターン（「リーチハズレ変動パターン」とも称する）」が含まれる。
【０１１１】
また、可変表示結果が「大当り」となる場合に対応した変動パターンを「当たり変動パターン」と称する。当たり変動パターンには、可変表示結果が「大当り」である場合に対応した「大当り変動パターン」などが含まれてもよい。大当り変動パターンとして、大当り種別の夫々に対応した複数の変動パターンを用意しておいてもよい。
【０１１２】
非リーチ変動パターンには、合計保留記憶数が多い場合や、遊技状態が確変状態や時短状態である場合に実行される時短制御に対応し、変動時間が異なる複数の変動パターンを用意しておくとよい。これにより、合計保留記憶数や遊技状態に応じて、何れかの変動パターンが選択されることで、合計保留記憶数や遊技状態に応じて変動時間を短縮する制御が可能になる。
【０１１３】
大当り変動パターンやリーチ変動パターンなどのようにリーチ演出を含む変動パターンには、夫々のリーチ演出のリーチ態様に応じた変動パターンが用意されている。なお、ノーマルリーチのリーチ演出が実行される変動パターンを「ノーマルリーチ変動パターン」と称し、スーパーリーチのリーチ演出が実行される変動パターンを「スーパーリーチ変動パターン」と称する。
【０１１４】
図２に示す遊技制御用マイクロコンピュータ１００が備えるＲＯＭ１０１には、ゲーム制御用のプログラムの他にも、遊技の進行を制御するために用いられる各種のデータが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するデータ（例えば、制御コマンドの内容を特定する情報）や、表示結果決定テーブル、大当り種別決定テーブル、変動カテゴリ決定テーブル、変動パターン決定テーブルなどの各種のテーブルを構成するデータなどが記憶されている。
【０１１５】
表示結果決定テーブルは、例えば、第１特別図柄表示装置４Ａによる第１特図ゲーム（第１特図を用いた特図ゲーム）において可変表示結果となる確定特別図柄が導出表示される以前に、その可変表示結果を「大当り（１６Ｒ確変大当り、８Ｒ確変大当り）」として大当り遊技状態に制御するか否かを、特図表示結果決定用の乱数値ＭＲ１に基づいて決定するために参照されるテーブルである。また、表示結果決定テーブル１３０Ａは、第２特別図柄表示装置４Ｂによる第２特図ゲーム（第２特図を用いた特図ゲーム）において可変表示結果となる確定特別図柄が導出表示される以前に、その可変表示結果を「大当り（１６Ｒ確変大当り、８Ｒ確変大当り）」として大当り遊技状態に制御するか否かを、特図表示結果決定用の乱数値ＭＲ１に基づいて決定するために参照されるテーブルである。
【０１１６】
表示結果決定テーブルでは、パチンコ遊技機１における遊技状態に応じて、特図表示結果決定用の乱数値ＭＲ１と比較される数値（決定値）が、「大当り（１６Ｒ確変大当り、８Ｒ確変大当り）」や「ハズレ」の特図表示結果に割り当てられている。
【０１１７】
表示結果決定テーブルでは、遊技状態が高確状態であるときに、遊技状態が低確状態であるときよりも多くの決定値が、「大当り」の特図表示結果に割り当てられている。具体的には、低確状態では所定個数（具体的には１９０個）の決定値（「８０００」〜「８１８９」の範囲の値）が「大当り」の特図表示結果に割り当てられている。一方、高確状態では所定個数よりも多い個数（具体的には８１９個）の決定値「８０００」〜「８８１８」が「大当り」の特図表示結果に割り当てられている。このような設定により、パチンコ遊技機１において確変制御が行われる確変状態（高確状態）では、通常状態又は時短状態（低確状態）であるときに比べて、特図表示結果を「大当り」として大当り遊技状態に制御すると決定される確率が高くなる。
【０１１８】
大当り種別決定テーブルは、特図表示結果を「大当り」として大当り遊技状態に制御すると決定されたときに、大当り種別決定用の乱数値ＭＲ２に基づき、大当り種別を複数種類の何れかに決定するために参照されるテーブルである。大当り種別決定テーブルでは、第１特別図柄表示装置４Ａによる第１特図ゲーム（第１特図を用いた特図ゲーム）を実行するか、第２特別図柄表示装置４Ｂによる第２特図ゲーム（第２特図を用いた特図ゲーム）を実行するかに応じて、大当り種別決定用の乱数値ＭＲ２と比較される数値（決定値）が、夫々の大当り種別（１６Ｒ確変大当り、８Ｒ確変大当り）に割り当てられている。
【０１１９】
また、ＲＯＭ１０１には、変動カテゴリを複数種類のうちの何れかに決定するために参照される変動カテゴリ決定テーブルが記憶されている。具体的には、ＲＯＭ１０１には、当該変動カテゴリ決定テーブルにおいて決定され得る変動カテゴリの種類や夫々の決定割合などが互いに異なる複数の変動カテゴリ決定テーブルが記憶されている。変動カテゴリ決定テーブルには、変動カテゴリの夫々に、変動カテゴリ決定用の乱数値ＭＲ３と比較される数値（決定値）が割り当てられている。つまり、ＲＯＭ１０１には、複数種類の変動カテゴリのうち少なくとも１つの変動カテゴリに割り当てられている上記決定値（例えば、決定値の範囲や個数など）が互いに異なる複数の変動カテゴリ決定テーブルが記憶されている。
【０１２０】
また、ＲＯＭ１０１には、変動パターンを複数種類のうちの何れかに決定するために参照される変動パターン決定テーブルが記憶されている。具体的には、ＲＯＭ１０１には、当該変動パターン決定テーブルにおいて決定され得る変動パターンの種類や夫々の決定割合などが互いに異なる複数の変動パターン決定テーブルが記憶されている。変動パターン決定テーブルには、変動パターンの夫々に、変動パターン決定用の乱数値ＭＲ５と比較される数値（決定値）が割り当てられている。つまり、ＲＯＭ１０１には、複数種類の変動パターンのうち少なくとも１つの変動パターンに割り当てられている上記決定値（例えば、決定値の範囲や個数など）が互いに異なる複数の変動パターン決定テーブルが記憶されている。
【０１２１】
図２に示す遊技制御用マイクロコンピュータ１００が備えるＲＡＭ１０２は、その一部又は全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部又は全部の内容は保存される。特に、少なくとも、遊技状態すなわち遊技制御手段の制御状態に応じたデータと未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータ（例えば特図プロセスフラグなど）である。また、制御状態に応じたデータと未払出賞球数を示すデータとを遊技の進行状態を示すデータと定義する。
【０１２２】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１２３】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【０１２４】
演出制御基板１２には、画像表示装置５に対する演出画像を示す情報信号（映像信号）を伝送するための配線や、音声制御基板１３に対する指令を示す情報信号（演出音信号）を伝送するための配線、ランプ制御基板１４に対する指令を示す情報信号（電飾信号）を伝送するための配線などが接続されている。さらに、演出制御基板１２には、スティックコントローラ３１Ａに対する遊技者の操作行為を検出したことを示す情報信号（操作検出信号）を、コントローラセンサユニット３５Ａから伝送するための配線や、プッシュボタン３１Ｂに対する遊技者の操作行為を検出したことを示す情報信号（操作検出信号）を、プッシュセンサ３５Ｂから伝送するための配線も接続されている。
【０１２５】
演出制御基板１２には、可動役物制御装置１７が接続されている。可動役物制御装置１７は、演出制御用ＣＰＵ１２０からの指示に従い、可動役物１７３の動作を制御する。可動役物制御装置１７は、原点センサ１７１Ａ、動作端センサ１７１Ｂ、及びアクチュエータ１７２が接続されている。
【０１２６】
原点センサ１７１Ａは、可動役物１７３が原点位置にあることを検出して検出信号を出力するセンサである。動作端センサ１７１Ｂは、可動役物１７３が動作端の位置にあることを検出して検出信号を出力するセンサである。原点センサ１７１Ａ及び動作端センサ１７１Ｂは、可動役物を検出したときに検出信号をオフ状態からオン状態にするものとする。原点センサ１７１Ａ及び動作端センサ１７１Ｂは、近接スイッチ、赤外線センサ等を用いることができる。
【０１２７】
アクチュエータ１７２は、例えばモータ、電磁ソレノイド等である。アクチュエータ１７２がモータであり、可動役物１７３を動作させる。本実施形態では、可動役物１７３は、図１で説明したとおり、上下方向の動作を行うものとする。すなわち、アクチュエータ１７２は、可動役物１７３を上下方向に動作させる。
【０１２８】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【０１２９】
図２に示す演出制御基板１２に搭載されたＲＯＭ１２１には、演出制御用のプログラムの他にも、演出動作を制御するために用いられる各種のデータが格納されている。例えば、ＲＯＭ１２１には、演出制御用ＣＰＵ１２０が各種の判定や決定、設定を行うために用意された複数の判定テーブルや決定テーブル、設定テーブルなどを構成するデータが記憶されている。
【０１３０】
また、ＲＯＭ１２１には、第１保留表示の保留変化演出の実行に関するテーブルとして、第１始動入賞記憶表示エリア５ＨＬに既に表示されている第１保留表示の表示態様を他の表示態様に変化させるか否かを決定するために参照される第１保留変化有無決定テーブルや、他の表示態様に変化させると決定した場合に更に複数種類のうちの何れの表示態様に変化させるかを決定するために参照される第１保留変化態様決定テーブルが記憶されている。具体的には、ＲＯＭ１２１には、他の表示態様への変化あり、他の表示態様への変化なしの決定割合が互いに異なる複数の第１保留変化有無決定テーブルや、当該第１保留変化態様決定テーブルにおいて決定され得る表示態様の種類や夫々の決定割合などが互いに異なる複数の第１保留変化態様決定テーブルが記憶されている。夫々の第１保留変化有無決定テーブルには、変化あり、変化なしの夫々に、変化有無決定用の乱数値（非図示）と比較される数値（決定値）が割り当てられている。夫々の第１保留変化態様決定テーブルには、第１保留表示の表示態様の夫々に、変化後の第１保留表示の表示態様決定用の乱数値（非図示）と比較される数値（決定値）が割り当てられている。なお、複数の第１保留変化有無決定テーブルに代えて、全部の第１保留変化有無決定テーブルの情報を含む１つの大きな第１保留変化有無決定テーブルをＲＯＭ１２１に記憶してもよい。また、複数の第１保留変化態様決定テーブルに代えて、全部の第１保留変化態様決定テーブルの情報を含む１つの大きな第１保留変化態様決定テーブルをＲＯＭ１２１に記憶してもよい。同様に、ＲＯＭ１２１には、第２保留表示の保留変化演出の実行に関するテーブルとして、第２始動入賞記憶表示エリア５ＨＲに既に表示されている第２保留表示の表示態様を他の表示態様に変化させるか否かを決定するために参照される第２保留変化有無決定テーブルや、他の表示態様に変化させると決定した場合に更に複数種類のうちの何れの表示態様に変化させるかを決定するために参照される第２保留変化態様決定テーブルが記憶されていてもよい。
【０１３１】
なお、ＲＯＭ１２１には、第１保留表示の保留変化演出の実行タイミング（何個後の変動において実行するか、画像表示装置５の飾り図柄表示エリア５Ｌ、５Ｃ、５Ｒに変動表示された飾り図柄が停止表示され、さらに変動表示を開始されて保留表示がシフトする保留シフト時と始動入賞口に遊技球が入賞して保留表示が追加される入賞時とのいずれかに実行するかなどのタイミング）を決定するために参照される第１保留変化演出実行タイミング決定テーブルが記憶されていてもよい。具体的には、ＲＯＭ１２１には、当該第１保留変化演出実行タイミング決定テーブルにおいて決定され得る実行タイミングの種類や夫々の決定割合などが互いに異なる複数の第１保留変化演出実行タイミング決定テーブが記憶されていてもよい。夫々の第１保留変化演出実行タイミング決定テーブルには、実行タイミングの夫々に、第１保留変化演出の実行タイミング決定用の乱数値（非図示）と比較される数値（決定値）が割り当てられていればよい。また、複数の第１保留変化演出実行タイミング決定テーブルに代えて、全部の第１保留変化演出実行タイミング決定テーブルの情報を含む１つの大きな第１保留変化演出実行タイミング決定テーブルをＲＯＭ１２１に記憶してもよい。同様に、ＲＯＭ１２１には、第２保留表示の保留変化演出の実行タイミング（何個後の変動において実行するかなどのタイミング）を決定するために参照される第２保留変化演出実行タイミング決定テーブルが記憶されていてもよい。
【０１３２】
なお、第１保留表示態様決定テーブル、第１保留変化有無決定テーブル、第１保留変化態様決定テーブル、第１保留変化演出実行タイミング決定テーブルのうちの２以上のテーブルの情報を含む、テーブルをＲＯＭ１２１に記憶してもよい。
【０１３３】
また、ＲＯＭ１２１には、第１保留表示（または第２保留表示）の表示態様を他の表示態様に変化させると決定した場合にキャラクタ等を第１保留表示（または第２保留表示）に直接的に又は間接的に作用させる保留作用演出に関するテーブルとして、保留作用演出を実行するか否かを決定するために参照される作用演出実行有無決定テーブルが記憶されていてもよい。具体的には、ＲＯＭ１２１には、実行あり、実行なしの決定割合が互いに異なる複数の作用演出実行有無決定テーブルが記憶されていてもよい。夫々の作用演出実行有無決定テーブルには、実行あり、実行なしの夫々に、実行有無決定用の乱数値（非図示）と比較される数値（決定値）が割り当てられていてもよい。また、保留作用演出の演出態様が複数あるときには、保留作用演出を実行すると決定した場合に更に複数の演出態様のうちの何れの演出態様とするかを決定するために参照される保留作用演出演出態様決定テーブルをＲＯＭ１２１に記憶してもよい。具体的には、当該保留作用演出演出態様決定テーブルにおいて決定され得る保留作用演出の演出態様の種類や夫々の決定割合などが互いに異なる複数の保留作用演出演出態様決定テーブルが記憶されていてもよい。夫々の保留作用演出演出態様決定テーブルには、演出態様の夫々に、保留作用演出の演出態様決定用の乱数値（非図示）と比較される数値（決定値）が割り当てられていてもよい。
【０１３４】
また、ＲＯＭ１２１には、第１保留表示（または第２保留表示）の表示態様を他の表示態様に変化させないと決定した場合にキャラクタ等を第１保留表示（または第２保留表示）に直接的に又は間接的に作用させる保留作用ガセ演出に関するテーブルとして、保留作用ガセ演出を実行するか否かを決定するために参照される作用ガセ演出実行有無決定テーブルが記憶されていてもよい。具体的には、ＲＯＭ１２１には、実行あり、実行なしの決定割合が互いに異なる複数の作用ガセ演出実行有無決定テーブルが記憶されていてもよい。夫々の作用ガセ演出実行有無決定テーブルには、実行あり、実行なしの夫々に、実行有無決定用の乱数値（非図示）と比較される数値（決定値）が割り当てられていてもよい。また、保留作用ガセ演出の演出態様が複数あるときには、保留作用ガセ演出を実行すると決定した場合に更に複数の演出態様のうちの何れの演出態様とするかを決定するために参照される保留作用ガセ演出演出態様決定テーブルをＲＯＭ１２１に記憶してもよい。具体的には、当該保留作用ガセ演出演出態様決定テーブルにおいて決定され得る保留作用ガセ演出の演出態様の種類や夫々の決定割合などが互いに異なる複数の保留作用ガセ演出演出態様決定テーブルが記憶されていてもよい。夫々の保留作用ガセ演出演出態様決定テーブルには、演出態様の夫々に、保留作用ガセ演出の演出態様決定用の乱数値（非図示）と比較される数値（決定値）が割り当てられていてもよい。
【０１３５】
また、ＲＯＭ１２１には、演出制御用ＣＰＵ１２０が各種の演出装置（例えば画像表示装置５、スピーカ８、ランプ９、演出用模型など）による演出動作を制御するために用いられる複数の演出制御パターンを構成するデータなどが記憶されている。演出制御パターンがセットされることによって、飾り図柄などの種々の可変表示動作や予告演出（先読予告演出を含む）などが実現される。
【０１３６】
各種演出制御パターンは、パチンコ遊技機１における遊技の進行状況に応じて実行される各種の演出動作の制御内容を示すデータなどから構成されている。例えば、演出制御パターンは、複数種類の変動パターンに対応して、特図ゲームにおいて特別図柄の変動が開始されてから特図表示結果となる確定特別図柄が導出表示されるまでの期間における、飾り図柄の可変表示動作やリーチ演出、再抽選演出などにおける演出動作、あるいは、飾り図柄の可変表示を伴わない各種の演出動作（例えば、第１始動入賞記憶表示エリア５ＨＬにおける保留表示の表示態様に対する保留演出や、第２始動入賞記憶表示エリア５ＨＲにおける保留表示の表示態様に対する保留演出など）といった、様々な演出動作の制御内容を示すデータなどから構成されている。
【０１３７】
具体的に、演出制御パターンには、音声制御データが含まれている。また、演出制御パターンには、音声制御データの他、例えば演出制御プロセスタイマ判定値、表示制御データ、ランプ制御データ、操作検出制御データ、可動役物制御データ、終了コードといった、各種の演出動作を制御するための制御データが含まれている。
【０１３８】
音声制御データには、第１始動条件または第２始動条件が成立した場合にスピーカ８から出力される入賞音に関するデータ及び保留表示が予告態様に変化する保留変化が生じる際にスピーカ８から出力される保留変化音に関するデータが含まれている。また、音声制御データには、その他、例えば飾り図柄の可変表示中における飾り図柄の可変表示動作に連動した演出音等の出力態様を示すデータといった、スピーカ８からの音声出力態様を示すデータが含まれている。すなわち、音声制御データは、スピーカ８からの音声出力動作を指定するデータである。
【０１３９】
また、図２に示す演出制御基板１２に搭載されたＲＡＭ１２２には、演出動作を制御するために用いられる各種データを保持する領域として、例えば演出制御用データ保持エリアが設けられている。演出制御用データ保持エリアは、演出制御フラグ設定部と、演出制御タイマ設定部と、演出制御カウンタ設定部と、演出制御バッファ設定部と、を備えている。
【０１４０】
演出制御フラグ設定部には、例えば画像表示装置５の画面上における演出画像の表示状態などといった演出動作状態や主基板１１から伝送された演出制御コマンド等に応じて状態を更新可能な複数種類のフラグが設けられている。演出制御タイマ設定部には、例えば画像表示装置５の画面上における演出画像の表示動作などといった各種演出動作の進行を制御するために用いられる複数種類のタイマが設けられている。演出制御カウンタ設定部１９３には、各種演出動作の進行を制御するために用いられる複数種類のカウンタが設けられている。例えば、演出制御カウンタ設定部には、複数種類のカウンタそれぞれにおけるカウント値を示すデータ及び時短回数および確変回数の一方または両方を計数するための演出数カウンタの格納値である演出数カウント値を示すデータが記憶される。
【０１４１】
演出制御バッファ設定部には、各種演出動作の進行を制御するために用いられるデータを一時的に記憶する各種のバッファが設けられている。演出制御バッファ設定部には、例えば、第１始動入賞時受信コマンドバッファを構成するデータ、第２始動入賞時受信コマンドバッファを構成するデータ、第１先読予告バッファを構成するデータ、及び第２先読予告バッファを構成するデータが記憶される。
【０１４２】
第１始動入賞時受信コマンドバッファには、主基板１１から始動口入賞指定コマンド（第１始動口入賞指定コマンド）とともに送信された図柄指定コマンド、変動カテゴリコマンド、第１保留記憶数通知コマンド等が記憶される。第２始動入賞時受信コマンドバッファには、主基板１１から始動口入賞指定コマンド（第２始動口入賞指定コマンド）とともに送信された図柄指定コマンド、変動カテゴリコマンド、第２保留記憶数通知コマンド等が記憶される。
【０１４３】
第１先読予告バッファには、第１始動入賞時受信コマンドバッファを構成する各データに対応した格納領域が設けられている。第１先読予告バッファには、演出制御用ＣＰＵ１２０などによって決定された夫々の保留情報に関する先読予告演出に関する決定内容などが記憶される。第２先読予告バッファには、第１始動入賞時受信コマンドバッファを構成する各データに対応した格納領域が設けられている。第２先読予告バッファには、演出制御用ＣＰＵ１２０などによって決定された夫々の保留情報に関する先読予告演出に関する決定内容などが記憶される。
【０１４４】
また、ＲＡＭ１２２には、パチンコ遊技機１において発生したエラーを報知するために用いられる各種データを保持するエラー情報記憶領域としてが設けられている。エラー情報記憶領域には、主基板１１から送信されるエラーコマンドが記憶される。
【０１４５】
次に、本実施形態におけるパチンコ遊技機１の動作（作用）を説明する。
【０１４６】
パチンコ遊技機１における主基板１１におけるＣＰＵ１０３は、初期設定などを含むメイン処理と、一定時間ごとに繰り返される遊技制御用タイマ割込み処理を実行する。主基板１１におけるＣＰＵ１０３は、これらのメイン処理及び遊技制御用タイマ割込み処理において、特別図柄の変動表示に関する特図ゲームや遊技球の払い出しに関する払出制御などを実行する。ＣＰＵ１０３は、メイン処理や遊技制御用タイマ割込み処理の過程において、特図ゲームに関するコマンドなどの各種制御信号（制御信号、演出制御コマンド等）を演出制御基板１２に送信する。また、主基板１１は、タイマ割込みにおいてパチンコ遊技機１の異常診断を行い、異常が検出された場合には、検出された異常に応じたエラーコマンドを演出制御基板１２に送信するとともに、検出された異常に応じた警告音（エラー音）をスピーカ８に出力させる。
【０１４７】
演出制御基板１２は、コマンド解析制御や演出制御プロセス処理を含む演出制御メイン処理等を実行する。以下、演出制御基板１２で実行される演出制御プロセス処理について説明する。図３は、演出制御プロセス処理の一例を示すフローチャートである。図３に示す演出制御プロセス処理において、演出制御用ＣＰＵ１２０は、まず、入賞時演出決定処理を実行する（ステップＳ１５０）。入賞時演出決定処理では、演出制御用ＣＰＵ１２０は、始動入賞時受信コマンドバッファにおける記憶内容をチェックする処理や、受信コマンドとして、始動口入賞通知コマンドを受信しているか否かを判定する処理や、各種の演出に関して決定する処理などが実行される。入賞時演出決定処理の詳細は後述する。
【０１４８】
入賞時演出決定処理（ステップＳ１５０）に続いて、演出制御用ＣＰＵ１２０は、演出制御フラグ設定部１９１などに設けられた演出プロセスフラグの値に応じて、ステップＳ１７０〜１７７の処理の何れかを選択して実行する。
【０１４９】
ステップＳ１５０の入賞時演出決定処理を実行した後には、例えば、演出制御フラグ設定部などに設けられた演出プロセスフラグの値に応じて、以下のようなステップＳ１７０〜ステップＳ１７７の処理の何れかを選択して実行する。
【０１５０】
ステップＳ１７０の可変表示開始待ち処理は、演出プロセスフラグの値が初期値である“０”のときに実行される処理である。可変表示開始待ち処理は、主基板１１から伝送された第１変動開始コマンド（又は第２変動開始コマンド）、変動パターン指定コマンド、可変表示結果通知コマンドなどを受信したか否かに基づいて画像表示装置５における飾り図柄の可変表示を開始するか否かを判定する処理などを含んでいる。可変表示開始待ち処理では、飾り図柄の可変表示を開始すると判定したときには（即ち、変動パターン指定コマンド等を受信したときには）、演出プロセスフラグの値を“１”に更新する。
【０１５１】
ステップＳ１７１の可変表示開始設定処理は、演出プロセスフラグの値が“１”のときに実行される処理である。可変表示開始設定処理は、第１特別図柄表示装置４Ａや第２特別図柄表示装置４Ｂにおける特別図柄の可変表示に対応して、画像表示装置５における飾り図柄の可変表示を行うための設定（例えば、変動パターン（特図変動時間）に対応する演出制御パターンや変動時間タイマの値の設定等）を行う処理や、保留表示、アクティブ表示などの表示動作を行うための設定（例えば、当該表示動作に対応する演出制御パターンの設定等）を行う処理などを含んでいる。可変表示開始設定処理では、演出プロセスフラグの値を“２”に更新する。
【０１５２】
ステップＳ１７２の可変表示中演出処理は、演出プロセスフラグの値が“２”のときに実行される処理である。可変表示中演出処理は、可変表示開始設定処理（ステップＳ１７１）にて設定した変動時間タイマがタイムアウトしたか否か（画像表示装置５における飾り図柄の可変表示開始後の経過時間が特図変動時間に達したか否か）を判定する処理などを含んでいる。可変表示中演出処理では、変動時間タイマがタイムアウトしたときには、演出プロセスフラグの値を“３”に更新する。
【０１５３】
ステップＳ１７３の特図当り待ち処理は、演出プロセスフラグの値が“３”のときに実行される処理である。特図当り待ち処理は、確定飾り図柄が「ハズレ」である場合に実行する処理としてパチンコ遊技機１の遊技状態を設定する変動時遊技状態設定処理や、確定飾り図柄が「大当り」である場合に実行する処理としてファンファーレ演出を行うための設定（例えば、ファンファーレ演出に対応する演出制御パターンの設定等）を行う処理などを含んでいる。特図当り待ち処理では、確定飾り図柄が「ハズレ」であるときには、演出プロセスフラグの値を初期値である“０”に更新し、確定飾り図柄が「大当り」であるときには、演出プロセスフラグの値を“４”に更新する。
【０１５４】
ステップＳ１７４の大当り開始処理は、演出プロセスフラグの値が“４”のときに実行される処理である。大当り開始処理は、大入賞口開放中通知コマンドを受信したか否かを判定する処理や、大入賞口開放中通知コマンドを受信した場合に実行する処理として開放中演出（各ラウンドにおいて特別可変入賞球装置７が開放状態であるときに実行する演出）を行うための設定（例えば、開放中演出に対応する演出制御パターンの設定等）を行う処理などを含んでいる。大当り開始処理では、大入賞口開放中通知コマンドを受信したときには、演出プロセスフラグの値を“５”に更新する。
【０１５５】
ステップＳ１７５のラウンド中処理は、演出プロセスフラグの値が“５”のときに実行される処理である。ラウンド中処理は、大入賞口開放後通知コマンドを受信したか否かを判定する処理や、大入賞口開放後通知コマンドを受信した場合に実行する処理として閉鎖中演出（各ラウンドにおいて特別可変入賞球装置７が閉鎖状態であるときに実行する演出）を行うための設定（例えば、閉鎖中演出に対応する演出制御パターンの設定等）を行う処理などを含んでいる。ラウンド中処理では、大入賞口開放後通知コマンドを受信したときには、演出プロセスフラグの値を“６”に更新する。
【０１５６】
ステップＳ１７６のラウンド後処理は、演出プロセスフラグの値が“６”のときに実行される処理である。ラウンド後処理は、大入賞口開放中通知コマンドや当り終了指定コマンドを受信したか否かを判定する処理や、大入賞口開放中通知コマンドを受信した場合に実行する処理として開放中演出を行うための設定（例えば、開放中演出に対応する演出制御パターンの設定等）を行う処理や、当り終了指定コマンドを受信した場合に実行する処理としてエンディング演出を行うための設定（例えば、エンディング演出に対応する演出制御パターンやエンディング演出実行時間タイマの値の設定等）を行う処理などを含んでいる。ラウンド後処理では、大入賞口開放中通知コマンドを受信したときには、演出プロセスフラグの値を“５”に更新し、当り終了指定コマンドを受信したときには、演出プロセスフラグの値を“７”に更新する。
【０１５７】
ステップＳ１７７の大当り終了後処理は、演出プロセスフラグの値が“７”のときに実行される処理である。大当り終了後処理は、ラウンド後処理（ステップＳ１７６）にて設定したエンディング演出実行時間タイマがタイムアウトしたか否か（画像表示装置５におけるエンディング演出の実行開始後の経過時間が設定時間に達したか否か）を判定する処理などを含んでいる。大当り終了後処理では、エンディング演出実行時間タイマがタイムアウトしたときには、演出プロセスフラグの値を初期値である“０”に更新する。
【０１５８】
図４は、入賞時演出決定処理（Ｓ１５０）の一例を示すフローチャートである。図４に示した入賞時演出決定処理において、演出制御用ＣＰＵ１２０は、まず、始動入賞時受信コマンドバッファにおける記憶内容をチェックし（ステップＳ１５１）、続いて、保留演出等決定処理を実行する（ステップＳ１５３）。ステップＳ１５３の保留演出等決定処理には、保留演出、アクティブ表示演出、作用演出（保留作用失敗演出、保留作用失敗演出等）等について決定する処理が含まれている。
【０１５９】
保留演出等決定処理に続いて、入賞音決定処理を行う（ステップＳ１５４）。入賞音決定処理は、演出音としての入賞音を発生させるか否か、また入賞音を発生させる場合の音量を決定する処理等が含まれる。入賞音決定処理の詳細は後述する。入賞音決定処理（ステップＳ１５４）を実行した後には、演出制御用ＣＰＵ１２０は、保留演出等決定処理の決定内容及び入賞音の決定内容を記憶する（ステップＳ１５５）。ステップＳ１５５の処理を実行した後には、演出制御用ＣＰＵ１２０は、ステップＳ１５５において記憶した決定内容に基づいて、始動入賞記憶表示エリア５Ｈに新たな保留表示を追加する（ステップＳ１５６）。ステップＳ１５４で入賞音を発生させると決定した場合には、保留表示を追加する際に、入賞音決定処理で決定された音量で入賞音を発生させる。そして、入賞時演出決定処理を終了する。
【０１６０】
図５は、入賞音決定処理（ステップＳ１５４）の一例を示すフローチャートである。図５に示す入賞音決定処理において、演出制御用ＣＰＵ１２０は、まず、入賞音を発生させるか否かを判断する（ステップＳ２０１）。入賞音を発生させるか否かは、第１始動条件または第２始動条件が成立しているか否かに基づいて判断し、第１始動条件または第２始動条件が成立しているときには、入賞音を発生させると判断し第１始動条件及び第２始動条件のいずれも成立していないときには、入賞音を発生させないと判断する。第１始動条件及び第２始動条件の成立は、主基板１１から送信される演出制御コマンドのうちの始動口入賞指定コマンド（第１始動口入賞指定コマンド、第２始動口入賞指定コマンド）及び保留記憶数通知コマンド（第１保留記憶数通知コマンド、第２保留記憶数通知コマンド）を参照して判断する。
【０１６１】
ステップＳ２０１の判断の結果、入賞音を発生させない場合（ステップＳ２０１；ＮＯ）には、そのまま入賞音決定処理を終了する。また、入賞音を発生させる場合（Ｓ２０１；ＹＥＳ）には、エラー音が発生中であるか否かを判断する（ステップＳ２０２）。エラー音が発生中であるか否かは、ＲＡＭ１２２のエラー情報記憶領域にエラーコマンドが記憶されているか否かに基づいて判断する。その結果、エラー音が発生中である場合（ステップＳ２０２；ＹＥＳ）には、入賞音の出力を制限するために入賞音音量を０にセットして（ステップＳ２０５）、入賞音決定処理を終了する。
【０１６２】
ステップＳ２０２の判断の結果、エラー音が発生中でない場合（ステップＳ２０２；ＮＯ）には、遊技状態が高ベース中であるか否かを判断する（ステップＳ２０３）。遊技状態が高ベース中であるか否かは、主基板１１から送信される遊技状態コマンドとして、時短状態コマンドが送信されているか否かに基づいて判断する。その結果、遊技状態が高ベース中でない場合（ステップＳ２０３；ＮＯ）には、入賞音音量を規定値（＞０）にセットして（ステップＳ２０６）、入賞音決定処理を終了する。なお、入賞音音量の規定値は、一定の値である。
【０１６３】
また、ステップＳ２０３の判断の結果、遊技状態が高ベース中であると判断した場合（ステップＳ２０３；ＹＥＳ）には、保留変化音が発生中であるか否かを判断する（ステップＳ２０４）。ステップＳ２０４において、保留変化音が発生中であると判断した場合（ステップＳ２０４；ＹＥＳ）には、入賞音の出力を制限するために入賞音音量を０にセットして（ステップＳ２０５）、入賞音決定処理を終了する。また、保留変化音が発生中でないと判断した場合（ステップＳ２０４；ＮＯ）には、入賞音音量を規定値（＞０）にセットして（ステップＳ２０６）、入賞音決定処理を終了する。
【０１６４】
図６は、可変表示開始設定処理（Ｓ１７１）の一例を示すフローチャートである。図６に示した可変表示開始設定処理において、演出制御用ＣＰＵ１２０は、まず、例えば、主基板１１から伝送された可変表示結果通知コマンドにおけるＥＸＴデータを読み取ることなどにより、特図表示結果が「ハズレ」であるか否かを判定する（ステップＳ５２２）。
【０１６５】
ステップＳ５２２にて特図表示結果が「ハズレ」であると判定したときには（ステップＳ５２２；ＹＥＳ）、演出制御用ＣＰＵ１２０は、ハズレ組合せを構成する確定飾り図柄（最終停止図柄）の組合せを決定する（ステップＳ５２４）。一例として、演出制御用ＣＰＵ１２０は、演出制御カウンタ設定部に設けられたランダムカウンタ等により更新される乱数値（例えば、左確定図柄決定用の乱数値、右確定図柄決定用の乱数値、中確定図柄決定用の乱数値等）を示す数値データを抽出し、ＲＯＭ１２１などに予め記憶された所定の図柄決定テーブル（例えば、左確定図柄決定テーブル、右確定図柄決定テーブル、中確定図柄決定テーブル等）を参照することなどにより、ハズレ組合せを構成する確定飾り図柄の組合せとして、飾り図柄表示エリア５Ｌ、５Ｃ、５Ｒの夫々に最終的に停止表示される飾り図柄を決定する。
【０１６６】
ステップＳ５２２にて特図表示結果が「ハズレ」でないと判定したときには（ステップＳ５２２；ＮＯ）、即ち、特図表示結果が「大当り（１６Ｒ確変大当り、８Ｒ確変大当り）」であるときには、演出制御用ＣＰＵ１２０は、大当り組合せを構成する確定飾り図柄の組合せを決定する（ステップＳ５２８）。一例として、演出制御用ＣＰＵ１２０は、演出制御カウンタ設定部に設けられたランダムカウンタ等により更新される乱数値（例えば、大当り確定図柄決定用の乱数値等）を示す数値データを抽出し、ＲＯＭ１２１などに予め記憶された所定の図柄決定テーブル（例えば、大当り確定図柄決定テーブル等）を参照することなどにより、大当り組合せを構成する確定飾り図柄の組合せとして、飾り図柄表示エリア５Ｌ、５Ｃ、５Ｒの夫々に最終的に停止表示される飾り図柄を決定する。なお、演出制御用ＣＰＵ１２０は、大当り種別（１６Ｒ確変大当り、８Ｒ確変大当り）がいずれであるかや、昇格演出の有無などに応じて、大当り組合せを構成する確定飾り図柄の組合せを決定してもよい。
【０１６７】
ステップＳ５２４の処理又はステップＳ５２８の処理のいずれかを実行した後には、演出制御用ＣＰＵ１２０は、保留消化処理を実行する（ステップＳ５３０）。具体的には、始動入賞記憶表示エリア５Ｈの左端に表示されている保留表示をアクティブ表示エリアＡＨＡに移動（シフト）させるとともに、始動入賞記憶表示エリア５Ｈに他の保留表示があるときには、夫々について左側に移動させる。
【０１６８】
ステップＳ５３０の保留消化処理を実行後、演出制御用ＣＰＵ１２０は、保留変化音決定処理を実行する（ステップＳ５３１）。保留変化音決定処理は、演出音としての演出変化音を発生させるか否か、また演出変化音を発生させる場合の音量を決定する処理等が含まれる。保留変化音決定処理の詳細は後述する。
【０１６９】
ステップＳ５３１の処理を実行後、演出制御用ＣＰＵ１２０は、演出制御パターンセットの処理を実行する（ステップＳ５３２）。例えば、演出制御用ＣＰＵ１２０は、当該変動の変動パターンに対応する、演出制御パターンを使用パターンとしてセットする。即ち、演出制御用ＣＰＵ１２０は、主基板１１から伝送された変動パターン指定コマンドによって指定された変動パターンを使用パターンとしてセットする。
【０１７０】
ステップＳ５３２の処理を実行後、演出制御用ＣＰＵ１２０は、ステップＳ５３２においてセットした演出制御パターンのプロセスデータの演出制御プロセスタイマの初期値を設定し（ステップＳ５３４）、演出制御プロセスタイマをスタートさせて（ステップＳ５３５）、プロセスデータの内容に従って画像表示装置５等の演出装置（演出用部品）の制御を行う（ステップＳ５３６）。このとき、ステップＳ５３２でセットされた演出制御パターンが保留変化演出を含む先読予告演出の演出制御パターンである場合には、保留変化演出を実行する際に、保留変化決定処理で決定された音量で保留変化音を発生させる演出が行われる。続いて、演出制御用ＣＰＵ１２０は、変動時間タイマに、変動パターンコマンドで特定される変動時間に相当する値を設定する（ステップＳ５３７）。
【０１７１】
続いて、演出制御用ＣＰＵ１２０は、始動入賞時受信コマンドバッファに格納されているコマンドを消化する（ステップＳ５３８）。具体的には、演出制御用ＣＰＵ１２０は、始動入賞時受信コマンドバッファに対応付けられているコマンドのうち最も小さいバッファ番号に対応した領域に格納されたコマンド（１セット）を削除するとともに、削除されたコマンドのバッファ番号よりも大きいバッファ番号に対応した領域に格納されているコマンドを、入賞順を維持しつつシフトする。また、ステップＳ５３８の処理では、コマンドの削除やシフトに応じて、ＲＡＭ１２２などに設けられる先読予告バッファに格納されている情報の削除やシフトも行われる。その後、演出プロセスフラグの値を可変表示中演出処理に対応した値である“２”に更新してから（ステップＳ５３９）、可変表示開始設定処理を終了する。
【０１７２】
図７は、保留変化音決定処理（ステップＳ５３１）の一例を示すフローチャートである。図７に示す保留変化音決定処理において、演出制御用ＣＰＵ１２０は、まず、保留変化音を発生させるか否か判断する（ステップＳ５５１）。この判断については、第１先読予告バッファ及び第２先読予告バッファとして記憶されたデータに保留変化演出に対応するデータが含まれており、保留変化演出を実行する時期であるか否かによって行われる。その結果、保留変化音を発生させないと判断した場合（ステップＳ５５１；ＮＯ）には、そのまま保留変化音決定処理を終了する。
【０１７３】
ステップＳ５５１において、保留変化音を発生させると判断した場合（ステップＳ５５１；ＹＥＳ）には、エラー音が発生中である否かを判断する（ステップＳ５５２）。この判断は、図５のステップＳ２０２と同様にして行われる。その結果、エラー音が発生中であると判断した場合（ステップＳ５５２；ＹＥＳ）には、保留変化音の出力を制限するために保留変化音音量を０にセットして（ステップＳ５５５）、保留変化音決定処理を終了する。
【０１７４】
ステップＳ５５２において、エラー音が発生中でないと判断した場合（ステップＳ５５２；ＮＯ）には、遊技状態が高ベース中であるか否かを判断する（ステップＳ５５３）。この判断は、図５のステップＳ２０３と同様にして行われる。その結果、遊技状態が高ベース中であると判断した場合（ステップＳ５５３；ＹＥＳ）には、保留変化音音量を規定値（＞０）にセットして（ステップＳ５５６）、保留変化音決定処理を終了する。なお、保留変化音音量の規定値は、一定の値である。
【０１７５】
ステップＳ５５３において、遊技状態が高ベース中でないと判断した場合（ステップＳ５５３；ＮＯ）には、入賞音が発生中であるか否かを判断する（ステップＳ５５４）。その結果、入賞音が発生中であると判断した場合（ステップＳ５５４；ＹＥＳ）には、保留変化音の出力を制限するために保留変化音音量を０にセットして（ステップＳ５５５）、保留変化音決定処理を終了する。また、入賞音が発生中でないと判断した場合（ステップＳ５５４；ＮＯ）には、保留変化音音量を規定値（＞０）にセットして（ステップＳ５５６）、保留変化音決定処理を終了する。
【０１７６】
パチンコ遊技機１では、第１始動入賞や第２始動入賞が発生して第１始動条件や第２始動条件が成立したとき、第１特図ゲームや第２特図ゲームが実行される。また、第１特図ゲームや第２特図ゲームの実行中には、図８（Ａ）に示すように、画像表示装置５の飾り図柄表示エリア５Ｌ、５Ｃ、５Ｒに飾り図柄の変動表示が行われる。第１特図ゲームや第２特図ゲームの実行中に第１始動条件が成立すると、図８（Ｂ）に示すように、第１始動入賞記憶表示エリア５ＨＬにおける第１保留表示の数が増加する。図８（Ｂ）に示す例では、第１始動入賞記憶表示エリア５ＨＬにおける第１保留表示の数が２から３に増加する。第１始動入賞記憶表示エリア５ＨＬにおける第１保留表示の数が増加するときに、スピーカ８から入賞音が出力される。また、第１特図ゲームや第２特図ゲームの実行中に第２始動条件が成立すると、第２始動入賞記憶表示エリア５ＨＲ（図１参照）における第２保留表示の数が増加し、スピーカ８から入賞音が出力される。
【０１７７】
また、パチンコ遊技機１では、ある遊技球の入賞によって先読予告演出としての保留変化演出（保留演出）が実行されることがある。例えば、図９（Ａ）に示すように、第１始動入賞記憶表示エリア５ＨＬにおける第１保留表示の数が３であるときに保留変化演出が実行される例では、画像表示装置５の飾り図柄表示エリア５Ｌ、５Ｃ、５Ｒに飾り図柄が変動表示された後、図９（Ｂ）に示すように、画像表示装置５の飾り図柄表示エリア５Ｌ、５Ｃ、５Ｒに飾り図柄が停止表示されて、１回の特図ゲームが終了する。続いて、図９（Ｃ）に示すように、画像表示装置５の飾り図柄表示エリア５Ｌ、５Ｃ、５Ｒに表示される飾り図柄が再度変動表示を開始する。この変動表示が開始されて保留表示がシフトする保留シフト時に保留変化演出が実行される。保留変化演出では、第１始動入賞記憶表示エリア５ＨＬにおける第１保留表示の数が３から２に減少するとともに、第１保留表示の１つが丸い形状から星の形状に変化する。また、第１始動入賞記憶表示エリア５ＨＬにおける第１保留表示の数が３から２に減少するときに、スピーカ８から保留変化音が出力される。
【０１７８】
次に、入賞音や保留変化音などの演出音が出力される際の演出音出力の時間変化の例を数例説明する。図１０〜図１８は、演出音出力の時間変化の一例を示すタイムチャートである。なお、以下の例では、第１始動入賞と第２始動入賞のいずれかを始動入賞とし、第１始動条件と第２始動条件のいずれかを始動条件とし、第１始動口スイッチ２２Ａまたは第２始動口スイッチ２２Ｂを始動スイッチとして説明する。
【０１７９】
図１０に示す例のように、時間Ｔ１１で遊技球が始動入賞口に入賞し、始動入賞が発生して始動条件が成立したとする。この場合、音声制御基板１３は、時間Ｔ１１〜時間Ｔ１２まで入賞音を入賞音音量の規定値でスピーカ８に出力させる。また、時間Ｔ１３で保留変化演出が開始されて保留表示が変化したとすると、音声制御基板１３は、時間Ｔ１３〜時間Ｔ１４まで保留変化音を保留変化音音量の規定値でスピーカ８に出力させる。図１０に示す例では、入賞音や保留変化音の出力の制限は行われていない。
【０１８０】
図１１に示す例は、保留変化演出が実行されているときには、入賞音の出力が制限される例である。入賞音の出力の制限は、高ベース状態であるときに実行される。図１１に示すように、高ベース状態であるときに、時間Ｔ２１で保留変化演出が開始されて保留表示が変化したとすると、音声制御基板１３は、時間Ｔ２１〜時間Ｔ２３まで保留変化音を保留変化音音量の規定値でスピーカ８に出力させる。また、保留変化音の出力中の時間Ｔ２２で遊技球が始動入賞口に入賞し、始動入賞が発生して始動条件が成立したとする。この場合、入賞音を出力させるが、入賞音の出力を制限し、入賞音音量を０にする。こうして、入賞音を実質的に聞こえないようにすることにより、保留変化音を聞きやすくすることができる。
【０１８１】
図１２に示す例は、入賞音の出力中に保留変化演出が開始された場合に、保留変化音の出力が実行され、入賞音の出力が制限される例である。ここでの入賞音の出力の制限は、高ベース状態であるときに実行される。図１２に示すように、高ベース状態であるときに、時間Ｔ３１で遊技球が始動入賞口に入賞し、始動入賞が発生して始動条件が成立したとする。この場合、入賞音の出力は制限されていないので、音声制御基板１３は、時間Ｔ３１から入賞音を入賞音音量の規定値でスピーカ８に出力させる。入賞音の出力中である時間Ｔ３２に保留変化が開始されると、音声制御基板１３は、時間Ｔ３２〜時間Ｔ３４まで保留変化音を保留変化音音量の規定値でスピーカ８に出力させる。また、保留変化が開始されなかった場合には、音声制御基板１３は、時間Ｔ３１〜時間Ｔ３３まで入賞音を入賞音音量の規定値でスピーカ８に出力させる予定であったが、保留変化が開始されたので、保留変化が開始された時間Ｔ３２から入賞音の出力を制限し、入賞音音量を０にする。こうして、入賞音を実質的に聞こえないようにすることにより、保留変化音を聞きやすくすることができる。
【０１８２】
図１３に示す例は、本発明の変形例であり、保留変化音が保留変化音の規定値で出力された後の第１待機時間Ｌ１の間は、入賞音の出力が制限される例である。ここでの入賞音の出力の制限は、高ベース状態であるときに実行される。図１３に示すように、高ベース状態であるときに、時間Ｔ４１で保留変化演出が開始されて保留表示が変化したとすると、音声制御基板１３は、時間Ｔ４１〜時間Ｔ４２まで保留変化音を保留変化音音量の規定値でスピーカ８に出力させる。また、保留変化音の出力が終了した時間Ｔ４２〜時間Ｔ４４までの一定の待機時間、ここでは第１待機時間Ｌ１の間における時間Ｔ４３で遊技球が始動入賞口に入賞し、始動入賞が発生して始動条件が成立したとする。この場合、入賞音を出力させるが、入賞音の出力を制限し、入賞音音量を０にする。こうして、入賞音を実質的に聞こえないようにすることにより、保留変化音に入賞音が紛れてしまいにくくすることができる。なお、第１待機時間Ｌ１は、適宜の長さに設定してもよく、例えば、０．５秒、１秒、２秒、あるいはそれ以外の長さとしてもよい。
【０１８３】
図１４に示す例は、エラー音が出力されているときに、入賞音及び保留変化音の出力が制限される。入賞音及び保留変化音の出力の制限は、高ベース状態であるときとないときのいずれにおいても実行される例である。図１４に示すように、時間Ｔ５１で遊技球が始動入賞口に入賞し、始動入賞が発生して始動条件が成立したとする。この場合、時間Ｔ５１から入賞音を入賞音音量の規定値でスピーカ８に出力させる。入賞音の出力中である時間Ｔ５２でエラー音がエラー判定によってエラーがあると判定され、エラー中となったとした場合、音声制御基板１３は、時間Ｔ５２からエラー音を出力させる。音声制御基板１３は、時間Ｔ５１〜時間Ｔ５３まで入賞音を入賞音音量の規定値でスピーカ８に出力させる予定であったが、時間Ｔ５２の時点で入賞音の出力を制限し、入賞音音量を０にする。こうして、入賞音を実質的に聞こえないようにすることにより、エラー音を聞きやすくすることができる。その結果、遊技者の意識をエラー音によるエラー報知に向かせることができる。
【０１８４】
また、エラー音の出力中である時間Ｔ５４で保留変化演出が開始されて保留表示が変化した場合、音声制御基板１３は、時間Ｔ５４の時点では、保留変化音音量を０として、保留変化音を実質的に聞こえないようにする。このようして、エラー音を聞きやすくすることができる。また、時間Ｔ５４から、本来保留変化音を発生させる時間Ｔ５６までの間における時間Ｔ５５でエラーが解除されてエラー音の出力が終了したとする。この場合、エラー音の出力が終了した時間Ｔ５５から保留変化音の出力を開始する。こうして、エラー音が聞こえにくくならないようにしながら、演出音によって演出を楽しませることができる。
【０１８５】
なお、図１４には示さないが、保留変化音の出力中にエラー音を出力する場合に、保留変化音の出力を制限するようにしてもよい。また、エラー音の出力によって入賞音の出力を制限しているときにエラーが解除された場合には、エラー音の出力の停止とともに入賞音の出力を開始するようにしてもよい。
【０１８６】
図１５に示す例は、入賞音が出力されているときには保留変化音の出力が制限される例である。保留変化音の出力の制限は、高ベース状態でないとき（低ベース状態であるとき）に実行される。図１５に示すように、高ベース状態でないときに、時間Ｔ６１で遊技球が始動入賞口に入賞し、始動入賞が発生して始動条件が成立したとする。この場合、音声制御基板１３は、時間Ｔ６１〜時間Ｔ６３まで入賞音を入賞音音量の規定値でスピーカ８に出力させる。また、入賞音の出力中の時間Ｔ６２で保留変化演出が開始されて保留表示が変化した場合、保留変化音を出力させるが、保留変化音の出力を制限し、保留変化音音量を０にする。こうして、保留変化音を実質的に聞こえないようにすることにより、入賞音を聞きやすくすることができる。
【０１８７】
図１６に示す例は、保留変化音の出力中に遊技球が始動入賞口に入賞し、始動入賞が発生して始動条件が成立した場合に、入賞音の出力が実行され、保留変化音の出力が制限される例である。ここでの保留変化音の出力の制限は、高ベース状態でないときに実行される。図１６に示すように、高ベース状態でないときに、時間Ｔ７１で保留変化演出が開始されたとする。この場合、保留変化音の出力は制限されていないので、音声制御基板１３は、時間Ｔ７１から保留変化音を保留変化音音量の規定値でスピーカ８に出力させる。保留変化音の出力中である時間Ｔ７２に遊技球が始動入賞口に入賞し、始動入賞が発生して始動条件が成立すると、音声制御基板１３は、時間Ｔ７２〜時間Ｔ７４まで入賞音を入賞音音量の規定値でスピーカ８に出力させる。また、始動条件が成立しなかった場合には、音声制御基板１３は、時間Ｔ７１〜時間Ｔ７３まで保留変化音を保留変化音音量の規定値でスピーカ８に出力させる予定であったが、始動条件が成立したので、始動条件が成立して入賞音を発生させる時間Ｔ７３から保留変化音の出力を制限し、保留変化音音量を０にする。こうして、保留変化音を実質的に聞こえないようにすることにより、入賞音を聞きやすくすることができる。
【０１８８】
図１７に示す例は、本発明の変形例であり、入賞音が入賞音の規定値で出力された後の第２待機時間Ｌ２の間は、保留変化音の出力が制限される例である。ここでの保留変化音の出力の制限は、高ベース状態でないときに実行される。図１７に示すように、高ベース状態でないときに、時間Ｔ８１で遊技球が始動入賞口に入賞し、始動入賞が発生して始動条件が成立したとする。この場合、音声制御基板１３は、時間Ｔ８１〜時間Ｔ８２まで入賞音を入賞音音量の規定値でスピーカ８に出力させる。また、入賞音の出力が終了した時間Ｔ８２〜時間Ｔ８４までの一定の待機時間、ここでは第２待機時間Ｌ２の間における時間Ｔ８３で保留変化演出が開始された保留表示が変化したとする。この場合、保留変化音を出力させるが、保留変化音の出力を制限し、保留変化音音量を０にする。こうして、保留変化音を実質的に聞こえないようにすることにより、入賞音に保留変化音が紛れてしまいにくくすることができる。なお、第２待機時間Ｌ２は、適宜の長さに設定してもよく、例えば、０．５秒、１秒、２秒、あるいはそれ以外の長さとしてもよい。また、第１待機時間Ｌ１と第２待機時間Ｌ２は、同じ時間でもよいし異なる時間でもよい。
【０１８９】
図１８に示す例は、本発明の変形例であり、保留変化演出が実行されているときに入賞音の出力が制限される例である。入賞音の出力の制限は、高ベース状態であるときに実行される。また、この変形例では、保留変化演出が実行されているときに複数、ここでは２つの遊技球が始動入賞口に入賞し、２つの始動入賞が発生して２つの始動条件が成立した場合の例である。
【０１９０】
図１８に示すように、高ベース状態であるときに、時間Ｔ９１で保留変化演出が開始されて保留表示が変化したとすると、音声制御基板１３は、時間Ｔ９１〜時間Ｔ９４まで保留変化音を保留変化音音量の規定値でスピーカ８に出力させる。また、保留変化音の出力中の時間Ｔ９１〜時間Ｔ９４の間において、２個の遊技球が始動入賞口にそれぞれ時間Ｔ９２及び時間Ｔ９３で入賞し、始動入賞が発生して始動条件が成立したとする。短時間で連続して複数の遊技球の始動入賞口に対する入賞は、例えば高ベース状態であって、普通可変入賞球装置６Ｂが拡大開放状態となっているときに発生することが多い。
【０１９１】
この場合、時間Ｔ９２では入賞音を出力させるが、入賞音の出力を制限し、入賞音音量を０にする。その一方、時間Ｔ９３では、入賞音を出力させ、その入賞音音量を規定値とする。こうして、先の入賞（時間Ｔ９２の入賞）では、入賞音を実質的に聞こえないようにすることにより、保留変化音を聞きやすくすることができる。保留変化音の出力中の時間Ｔ９１〜時間Ｔ９４の間に複数の遊技球が始動入賞口に入賞したときには、２個目以降の遊技球の入賞によって入賞音が発生するので、入賞音の発生を楽しませることができる。なお、時間Ｔ９３で出力する入賞音は、保留変化音を出力しているときに、制限を受けることなく出力される入賞音であり、その他のタイミングで出力される入賞音とは異なる態様で出力されるようにしてもよい。
【０１９２】
このように、本実施形態に係るパチンコ遊技機１では、高ベース状態であるとき（低ベース状態でないとき）において、保留変化音が出力されているときには入賞音の出力を制限している。また、高ベース状態でないとき（低ベース状態であるとき）において、入賞音が出力されているときには、保留変化音の出力を制限している。このため、入賞音と保留変化音が重複して出力される機会を抑制しているので、入賞音と保留変化音とを聞き分けやすくなり、演出効果の低下を抑制することができる。
【０１９３】
また、高ベース状態では、始動入賞口に対する遊技球の入賞が容易となっているので、高ベース状態にないときよりも、遊技球が始動入賞口に入賞する機会が多くなる。このため、遊技者における始動入賞口への遊技球の入賞に対する注目度と保留変化に対する注目度を比較すると、高ベース状態では、低ベース状態よりも保留変化に対する注目度が大きくなると考えられる。したがって、本実施形態に係るパチンコ遊技機１において、高ベース状態では、保留変化音が出力されているときに入賞音の出力を制限することにより、遊技者の興味をよりひきつけることができる。
【０１９４】
また、低ベース状態では、始動入賞口に対する遊技球の入賞が容易となっておらず、始動入賞口に対する遊技球に入賞に対して、遊技者は高い関心を有していることが多い。このため、遊技者における始動入賞口への遊技球の入賞に対する注目度と保留変化に対する注目度を比較すると、低ベース状態では、高ベース状態よりも始動入賞口への遊技球の入賞に対する注目度が大きくなると考えられる。したがって、本実施形態に係るパチンコ遊技機１において、低ベース状態では、入賞音が出力されているときに保留変化音の出力を制限することにより、遊技者の興味をよりひきつけることができる。
【０１９５】
また、高ベース状態では、保留変化音の出力中に入賞音を出力する場合でも、入賞音の出力中に保留変化音を出力する場合でも、入賞音の出力を制限するようにしている。また、低ベース状態では、入賞音の出力中に保留変化音のを出力する場合でも、保留変化音の出力中に入賞音を出力する場合での、保留変化音の出力を制限するようにしている。このため、いずれの場合でも演出効果の低下を防ぐことができる。
【０１９６】
また、図１３に示す変形例では、保留変化音の出力が終了した後、第１待機時間Ｌ１が経過するまでは入賞音の出力を制限している。さらに、図１７に示す変形例では、入賞音の出力が終了した後、第２待機時間Ｌ２が経過するまでは保留変化音の出力を制限している。このため、入賞音と保留変化音が連続して出力される機会を抑制しているので、入賞音と保留変化音とを聞き分けやすくなり、演出効果の低下を抑制することができる。
【０１９７】
以上、パチンコ遊技機１について説明したが、パチンコ遊技機１の装置構成、画像表示装置５の表示領域における演出画像の表示動作を含めた各種の演出動作などは、趣旨を逸脱しない範囲で、任意に変更及び修正が可能である。
【０１９８】
例えば、上記の実施形態において、保留変化演出は、画像表示装置５の飾り図柄表示エリア５Ｌ、５Ｃ、５Ｒに表示される飾り図柄が変動表示を開始するタイミングで実行されるが、保留変化演出は、他のタイミングで実行されてもよい。例えば、保留変化演出は、始動条件が成立し、始動入賞記憶表示エリア５Ｈに保留表示が追加されるタイミングで実行される追加時保留演出でもよい。また、画像表示装置５の飾り図柄表示エリア５Ｌ、５Ｃ、５Ｒに表示される飾り図柄の変動表示中における任意のタイミングで実行されるようにしてもよい。また、上記の実施形態では、保留変化演出が実行される際には保留変化音を出力するようにしているが、保留変化演出が実行されるときに、保留変化音を出力する場合と出力しない場合とがあるようにしてもよい。この場合、例えば保留変化音を出力したときには、保留変化音を出力しないときよりも大当り遊技状態への移行に対する期待度が高くなるようにしてもよい。
【０１９９】
また、上記の実施形態では、パチンコ遊技機１にエラーが発生してエラー音（警告音）を出力する際には、入賞音及び保留変化音の出力を制限して、それぞれの音量を０としているが、パチンコ遊技機１に発生したエラーの種類に応じて、入賞音及び保留変化音の出力の制限の態様を変えるようにしてもよい。
【０２００】
例えば、エラー音、入賞音、保留変化音のそれぞれが６段階の音量を有しているとして（最大値：５、最小値０）、皿満タンエラー等の軽エラーのエラー音量を５、軽エラーが発生しているときの入賞音音量及び保留変化音音量を２などとし、扉開放エラーや磁気エラー等の重エラーのエラー音量を５、重エラーが発生しているときの入賞音及び保留変化音の音量を２としてもよい。また、軽エラーが発生してエラー音量５のエラー音が出力されているときに入賞音及び保留変化音を出力する場合に、高ベース中は保留変化音音量を２、入賞音音量を０とし、低ベース中は、保留変化音音量を０、入賞音音量を２とするなどとしてもよい。
【０２０１】
また、上記の実施形態では、保留変化音と入賞音を出力する際、高ベース中は入賞音の出力を制限し、低ベース中は保留変化音の出力を制限しているが、その他の態様で保留変化音または入賞音を制限するようにしてもよい。例えば、保留記憶数に応じて制限する音を調整してもよい。例えば、確変状態中は入賞音の出力を制限し、非確変状態中は保留変化音の出力を制限するようにしてもよい。または、その逆のパターンとしてもよい。
【０２０２】
また、保留記憶数に応じて保留変化音または入賞音の出力のいずれを制限するかを決定し、例えば、保留記憶数が１のときには保留変化音の出力を制限し、２または３のときには入賞音の出力を制限するようにしてもよい。保留記憶数が少ないときには、始動入賞口への入賞に対する期待感が大きいことが多いので、保留記憶数が少ないときに入賞音ではなく保留変化音を制限することにより、興趣の低下を抑制できる。あるいは、その他の条件で保留変化音及び入賞音のいずれの出力を制限するかを決定してもよい。例えば、演出制御基板１２ＲＴＣを設けて、保留変化音優先時間及び入賞音優先時間を計測し、保留変化音優先時間では入賞音の出力を制限し、入賞音優先時間では保留変化音の出力を制限するようにしてもよい。
【０２０３】
また、上記の実施形態では、入賞音及び保留変化音の制限の態様として、入賞音及び保留変化音の音量を０にするようにしているが、他の態様で制限してもよい。例えば、制限される入賞音及び保留変化音の音量を０ではなく規定値よりも小さい所定の数とするようにしてもよい。あるいは、音量を０にする代わりに、入賞音または保留変化音の出力を中止する（出力をしない）ことによって出力の制限を行うようにしてもよい。また、入賞音または保留変化音を出力するスピーカ８の数を少なくしてもよい。また、入賞音を制限する際に、入賞音以外の音、例えば保留変化音の音量を大きくしたり、出力するスピーカ８の数を多くしたりしてもよい。同様に、保留変化音を制限する際に、保留変化音以外の音、例えば入賞変化音の音量を大きくしたり、出力するスピーカ８の数を多くしたりしてもよい。
【０２０４】
また、上記の実施形態では、入賞音音量及び保留変化音音量の規定値を一定値としているが、入賞音音量及び保留変化音音量の規定値を可変としてもよい。入賞音音量及び保留変化音音量の規定値を可変とする際、入賞音音量及び保留変化音音量の規定値を設定する設定手段（例えばダイヤルなど）をパチンコ遊技機１の裏側に設けてもよい。あるいは、パチンコ遊技機１における遊技者が操作可能となる位置に設定手段を設けてもよい。設定手段をパチンコ遊技機１の裏側に設けることにより、パチンコ遊技機１を設置する遊技場において、規定値を設定することができる。また、設定手段をパチンコ遊技機１における遊技者が操作可能となる位置に設けることにより、遊技者の嗜好に応じた音量で入賞音及び保留変化音を楽しむことができる。また、設定手段は、パチンコ遊技機１の裏側及びパチンコ遊技機１における遊技者が操作可能となる位置の両方に設けてもよい。
【０２０５】
また、上記の実施形態では、保留変化演出として、保留表示がシフトする保留シフト時に実行される保留変化演出（以下「シフト時保留変化演出」という）を実行するが、保留変化演出としては、遊技球が始動入賞口に入賞して保留表示が追加される入賞時に実行される保留変化演出（以下「入賞時保留変化演出」という）を実行するようにしてもよい。シフト時保留変化演出と入賞時保留変化演出の両方が行われるようにしてもよい。シフト時保留変化演出と入賞時保留変化演出の両方が行われる場合、シフト時保留変化演出と入賞時保留変化演出の両方が同一変動中に行われるようにしてもよい。
【０２０６】
シフト時保留変化演出と入賞時保留変化演出の両方が同一変動中に行われる場合、シフト時保留変化演出による保留変化音を出力するとともに、入賞時保留変化演出による保留変化音の出力を制限するようにしてもよい。また、シフト時保留変化演出と入賞時保留変化演出の両方が同一変動中に行われる場合、入賞時保留変化演出による保留変化音の出力を制限しないようにしてもよい。入賞時保留変化演出による保留変化音の出力を制限しない場合には、例えば、シフト時保留変化演出による保留変化音と入賞時保留変化演出による保留変化音の音の態様を変えたり、出力するスピーカ８を分けたりして、両方の保留変化音を区別しやすくしてもよい。さらには、シフト時保留変化演出が実行される場合には、入賞時保留変化演出の実行を制限、例えば入賞時保留変化演出を中止したりしてもよい。
【０２０７】
また、高ベース状態において、追加時保留演出によって追加時保留音を出力する際に、入賞音を制限するようにしてもよい。例えば、第１始動入賞口に遊技球が入賞して追加時保留演出が実行され、その直後であって追加時保留演出が実行され追加時保留音が出力されている間に、例えば第２始動入賞口の普通可変入賞球装置６Ｂに遊技球が入賞して入賞音を出力する状況が生じることがある。この場合、第２始動入賞口への入賞による入賞音の出力を制限してもよい。
【０２０８】
逆に、第１始動入賞口に遊技球が入賞して追加時保留演出が実行され、その直後であって追加時保留演出が実行され追加時保留音が出力されている間に、例えば第１始動入賞口に遊技球が入賞して入賞音を出力する状況が生じることがある。また、第２始動入賞口の普通可変入賞球装置６Ｂには、複数の遊技球がほぼ同時に入賞可能であるので、追加時保留演出が実行され追加時保留音が出力されている間に、さらに第２始動入賞口の普通可変入賞球装置６Ｂに遊技球が入賞して入賞音を出力する状況が生じることがある。これらの追加時保留演出が実行され追加時保留音が出力されている間における入賞音の出力を制限してもよい。
【０２０９】
同様に、高ベース状態において、入賞時保留変化演出によって保留変化音を出力する際に、追加時保留演出が実行され追加時保留音が出力されている間における入賞音の出力を制限する場合と同様に、入賞音を制限するようにしてもよい。例えば、第１始動入賞口に遊技球が入賞して入賞時保留変化演出が実行され、その直後であって入賞時保留変化演出が実行されている間に第２始動入賞口の普通可変入賞球装置６Ｂに遊技球が入賞して入賞音を出力する状況が生じることがある。この場合、第２始動入賞口への入賞による入賞音の出力を制限してもよい。
【０２１０】
また、低ベース状態においても、高ベース状態のときと同様、追加時保留演出によって追加時保留音を出力する際に、入賞音を制限するようにしてもよいし、入賞時保留変化演出によって保留変化音を出力する際に、入賞音を制限するようにしてもよい。特に、低ベース状態において、一定の割合、１／１００程度の割合で「普図当り」が発生し、「普図当り」で例えばで第２始動入賞口の普通可変入賞球装置６Ｂをある程度の時間、例えば５秒間継続して開放させて、普通可変入賞球装置６Ｂに遊技球が入賞し易くするようにしていもよい。このときに、追加時保留演出によって追加時保留音を出力する際に、入賞音を制限するようにしてもよいし、入賞時保留変化演出によって保留変化音を出力する際に、入賞音を制限するようにしてもよい。
【０２１１】
また、上記の実施形態では、保留変化演出は１種類のみが設けられているが、複数の種類の保留変化演出が設けられていてもよい。例えば、保留変化演出として、始動入賞記憶エリアに表示される保留表示の色が変化する演出が設けられており、保留表示が変化した色に応じて大当り遊技状態への期待度が異なるようにしてもよい。この場合に、保留変化音は、保留表示の変化の態様に応じて異なるようにしてもよい。例えば、保留変化演出が実行された後における保留表示の色として、青、黄、緑、赤、金、が設定されている場合、青＜黄＜緑＜赤＜金の順で大当り遊技状態に移行する可能性が高くなるようにしてもよい。そして、保留変化音は、保留変化演出後の保留表示の色に応じた音となるようにしてもよい。例えば、大当り遊技状態への移行の期待度が高いほど、音量が大きく派手な保留変化音が出力されるようにしてもよい。
【０２１２】
また、保留変化演出前の保留表示の色と保留変化演出後の保留表示の色や種類に応じて、保留変化音が異なるようにしてもよいし、保留変化演出前の保留表示の色に応じて、保留変化音が異なるようにしてもよい。また、保留変化演出によって変化する色と保留変化音に一定の対応関係を持たせておき、この対応関係が崩れたときには、大当り遊技状態に移行する期待度がさらに高くなり、例えば１００％となるようにしてもよい。このように保留変化演出における保留表示の変化と保留変化音との関係を設定することにより、興趣の向上を図ることができる。
【０２１３】
また、保留変化演出後の保留表示の色が強い（大当り遊技状態への移行の期待度が高い）場合には、低ベース中における保留変化音の制限を弱めるようにしてもよい。例えば、入賞音が出力されているときに保留変化演出が実行される際には、保留変化演出後の保留表示の色が青または黄である場合には保留変化音の出力が制限され、保留変化演出後の保留表示の色が緑、赤、または金である場合には、保留変化音の出力を制限しないか、制限の度合いを弱めるようにしてもよい。制限の度合いを弱める態様としては、例えば、制限の度合いを弱めない出力の制限では、保留変化音音量を５から０にするのに対して、制限の度合いを弱める出力の制限では、音量を５から２にするなどとすればよい。
【０２１４】
また、保留変化演出後の保留表示の色が弱い（大当り遊技状態への移行の期待度が高くない）場合には、高ベース中における入賞音の制限を弱めるようにしてもよい。例えば、保留変化音が出力されているときに始動条件が成立した場合には、保留変化演出後の保留表示の色が青または黄である場合には入賞音の出力を制限せず、保留変化演出後の保留表示の色が緑、赤、または金である場合には、保留変化音の出力を制限するようにしてもよい。このように、保留変化演出の内容に応じて、保留変化音及び入賞音の出力の制限を異ならせるようにしてもよい。
【０２１５】
また、上記の実施形態では、入賞音は１種類のみが設けられているが、複数の種類の入賞音が設けられていてもよい。このとき、入賞音の種類に応じて大当り遊技状態への期待度が異なるようにしてもよい。例えば、入賞音として、通常入賞音、僅強入賞音、強入賞音、最強入賞音が設定されている場合、通常入賞音＜僅強入賞音＜強入賞音＜最強入賞音の順で大当り遊技状態に移行する可能性が高くなるようにしてもよい。
【０２１６】
また、入賞音が強い（大当り遊技状態への移行の期待度が高い）場合には、高ベース中における入賞音の制限を弱めるようにしてもよい。例えば、保留変化音が出力されているときに始動条件が成立した場合には、入賞音が通常入賞音または僅強入賞音である場合には入賞音の出力が制限され、入賞音が強入賞音または最強入賞音である場合には、入賞音の出力を制限しないか、制限の度合いを弱めるようにしてもよい。制限の度合いを弱める態様としては、例えば、制限の度合いを弱めない出力の制限では、入賞音音量を５から０にするのに対して、制限の度合いを弱める出力の制限では、音量を５から２にするなどとすればよい。
【０２１７】
また、保留変化演出後の保留表示の色が弱い（大当り遊技状態への移行の期待度が高くない）場合には、低ベース中における保留変化音の制限を弱めるようにしてもよい。例えば、入賞音が出力されているときに保留変化演出が実行される際には、入賞音が通常入賞音または僅強入賞音である場合には保留変化音の出力を制限せず、入賞音が強入賞音または最強入賞音である場合には、保留変化音の出力を制限するようにしてもよい。このように、入賞音の内容に応じて、保留変化音及び入賞音の出力の制限を異ならせるようにしてもよい。
【０２１８】
また、エラー音、入賞音、及び保留変化音のうちの２つ以上を０より大きい音量で同時に出力する場合、演出制御用ＣＰＵ１２０は、出力する音が優先度の高い第１音か優先度の低い第２音かを判定するようにしてもよい。出力する音の優先度は、出力の制限があるかによっては判定すればよい。例えば、エラー音は、常に入賞音及び保留変化音よりも優先度が高く、高ベース状態では、保留変化音は入賞音よりも優先度が高く、低ベース状態では入賞音は保留変化音よりも優先度が高くなるようにしてもよい。
【０２１９】
この場合、演出制御用ＣＰＵ１２０は、第２音の周波数帯域のうち、第１音に対応する周波数帯域の一部周波数帯域を減衰させる減衰処理を施してもよい。減衰処理は、例えば、フィルタリング処理によって行えばよい。このように、一部周波数帯域を減衰させる減衰処理を施すことにより、第２音によるマスキングを抑制し、遊技者等の聴取者に聞かせたい第１音を的確に聴取させることができる。また、第１音と異なる周波数帯域については第２音も聴取させることができる。
【０２２０】
また、上記の実施形態では、第１始動入賞口または第２始動入賞口に遊技球が入賞して始動条件が成立したときに入賞音を出力しているが、遊技球が第１始動入賞口と第２始動入賞口のどちらに入賞したかによって入賞音の出力に差を設けてもよい。例えば、低ベース状態で第２始動入賞口の普通可変入賞球装置６Ｂに遊技球が入賞し、または高ベース状態で第１始動入賞口の普通入賞球装置６Ａに遊技球が入賞して始動条件が成立しても入賞音を出力しないようにしてもよい。さらには、低ベース状態では、第２始動入賞口への遊技球の入賞に関する一切の音の出力を制限していもよい。また、高ベース状態では、第１始動入賞口への遊技球の入賞に関する一切の音の出力を制限していもよい。また、入賞音及び保留変化音の出力制限について、遊技球が第１始動入賞口と第２始動入賞口のどちらに入賞したかによって差を設けていないが、入賞音及び保留変化音の出力制限について、遊技球が第１始動入賞口と第２始動入賞口のどちらに入賞したかによって差を設けてもよい。例えば、高ベース状態で保留変化音が出力されているときに第１始動入賞口に遊技球が入賞して始動条件が成立したときには、入賞音の出力制限を行わず、第２始動入賞口に遊技球が入賞して始動条件が成立したときには、入賞音の出力制限を行うようにしてもよい。また、低ベース状態で保留変化音が出力されているときに第１始動入賞口に遊技球が入賞して始動条件が成立したときには、保留変化音の出力制限を行い、第２始動入賞口に遊技球が入賞して始動条件が成立したときには、保留変化音の出力制限を行わないようにしてもよい。
【０２２１】
また、例えば、保留変化演出の前に、特定演出として、キャラクタが保留表示に向けてカラーボールを投げる演出を行ってもよい。特定演出では、キャラクタが投げたカラーボールが保留表示に衝突して保留表示の色が変わる保留作用演出（成功パターン）と、キャラクタが投げたカラーボールが保留表示に衝突せず保留表示の色が変わらない保留作用ガセ演出（失敗パターン）とが用意されていてもよい。特定演出としては、例えば、キャラクタが投げたカラーボールが保留表示の近づく過程で、定速で移動していたカラーボールが途中から減速し、最終的に保留表示に衝突する保留作用演出と最終的に保留表示に衝突しない保留作用ガセ演出のいずれかが実行される。高ベース状態において、保留変化演出が行われるにあたり、特定演出が開始された後、カラーボールが減速するまでの間は入賞音の制限を行わず、カラーボールが減速した後は入賞音の制限を行うようにしてもよい。カラーボールが減速した後に入賞音の制限を行うことにより、保留変化音に入賞音が混じりにくくなり、保留変化音を聞きやすくすることができる。
【０２２２】
カラーボールが減速した後に入賞音の制限を行うにあたり、保留作用演出（成功パターン）において保留作用音が出力されているときには入賞音の制限を行い、保留作用ガセ演出（失敗パターン）において保留作用ガセ音が出力されているときには入賞音の制限を行わないようにしてもよい。保留作用ガセ演出の後は保留変化演出が行われないので、入賞音の制限を行わないようにすることにより、興趣を高めることができる。なお、保留作用ガセ演出（失敗パターン）では、その後に保留変化演出が行われず、保留変化音が出力されないので、無駄な入賞音の制限をしないで済ませることができる。また、カラーボールが減速した後に入賞音の制限を行うにあたり、保留作用演出（成功パターン）及び保留作用ガセ演出（失敗パターン）のいずれにおいても入賞音の制限を行うようにしてもよい。入賞音の有無によって特定演出が成功パターンであるか失敗パターンであるかを、特定演出が終了する前に遊技者が判別してしまうことを抑制することができる。また、保留作用ガセ演出では、カラーボールを減速した後に入賞音の制限を行ったり行わなかったりしてもよい。
【０２２３】
また、例えば、本実施形態を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本実施形態を実現するためのプログラム及びデータは、通信処理部を設けておくことにより、通信回線等を介して接続されたネットワーク上の、他の機器からダウンロードすることによって配布する形態を採っても構わない。
【０２２４】
また、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０２２５】
また、本実施形態において、「割合」とは、例えば、Ａ：Ｂ＝７０％：３０％やＡ：Ｂ＝３０％：７０％のような関係であり、割合が異なる場合には、Ａ：Ｂ＝１００％：０％のような関係で割合が異なる場合（すなわち、一方が１００％の割り振りで他方が０％の割り振りとなるような場合）も含む。
【０２２６】
また、パチンコ遊技機１は、遊技者に景品として遊技球が払い出され、遊技者は払い出された遊技球を遊技領域に発射して遊技が行われる遊技機であったが、プリペイドカードや会員カード等の遊技用記録媒体の記録情報より特定される大きさの遊技価値である度数を使用して、遊技に使用するための遊技得点を付与すると共に、付与された遊技得点、又は遊技による入賞により付与された遊技得点を使用して遊技機内に封入された遊技球を遊技領域に打ち込んで遊技者が遊技を行う遊技機であってもよい。
【０２２７】
また、パチンコ遊技機１は、所定数の景品として遊技媒体を払い出す遊技機であったが、遊技球等の遊技媒体を封入し景品の付与条件が成立した場合に得点を付与する封入式の遊技機であってもよい。
【０２２８】
また、本実施形態では、確変大当りに決定されたことに基づいて、大当り遊技終了後に確変状態に制御される遊技機を示したが、そのような遊技機に限定されない。例えば、内部に所定の確変領域が設けられた特別可変入賞球装置（１つだけ設けられた特別可変入賞球装置内に確変領域が設けられていてもよいし、複数設けられた特別可変入賞球装置のうちの一部に確変領域が設けられていてもよい）を備え、大当り遊技中に特別可変入賞球装置内における確変領域を遊技球が通過したことに基づいて確変が確定し、大当り遊技終了後に確変状態に制御される遊技機であってもよい。
【０２２９】
また、本実施形態では、遊技領域に設けられた始動領域を遊技媒体が通過したことに基づいて、各々が識別可能な複数種類の識別情報の可変表示を行い表示結果を導出表示する可変表示手段を備え、当該可変表示手段に予め定められた特定表示結果が導出表示されたときに、遊技者にとって有利な特定遊技状態に制御する遊技機を示したが、遊技得点が０でないときに遊技得点を使用して遊技機内に封入された遊技球を遊技領域に打ち込んで遊技が行われ、遊技球の打ち込みに応じて遊技得点を減算し、遊技領域に設けられた入賞領域に遊技球が入賞することに応じて遊技得点を加算する遊技機であってもよい。そのような遊技機は、遊技得点の加算に使用可能な遊技用価値の大きさを特定可能な情報が記録された遊技用記録媒体を挿入するための遊技用記録媒体挿入口と、遊技用記録媒体挿入口に挿入された遊技用記録媒体に記録されている記録情報の読み出しを行う遊技用記録媒体処理手段を備えていてもよい。
【０２３０】
また、本実施形態では、各々が識別可能な複数種類の特別図柄の可変表示を行い、可変表示結果となる確定特別図柄を導出表示する遊技機を示したが、そのような遊技機に限定されない。例えば、変動する特別図柄と、可変表示結果として導出表示される確定特別図柄とが異なっていてもよい。換言すれば、変動する複数種類の特別図柄の中に、可変表示結果として導出表示される確定特別図柄が含まれていなくてもよい。
【０２３１】
また、本実施形態では、各々が識別可能な複数種類の飾り図柄の可変表示を行い、可変表示結果となる確定飾り図柄を導出表示する遊技機を示したが、そのような遊技機に限定されない。例えば、変動する飾り図柄と、可変表示結果として導出表示される確定飾り図柄とが異なっていてもよい。換言すれば、変動する複数種類の飾り図柄の中に、可変表示結果として導出表示される確定飾り図柄が含まれていなくてもよい。
【０２３２】
また、本実施形態では、遊技機としてパチンコ機を示したが、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるゲーム（遊技）を実行可能なスロット機（例えば、ビッグボーナス、レギュラーボーナス、ＲＴ、ＡＴ、ＡＲＴ、ＣＺ（以下、ボーナス等）のうち１以上を搭載するスロット機）であってもよい。
【０２３３】
例えば、動作を行う可動役物と、前記可動役物の動作に対応して、予め定められた演出条件が達成されたことを報知（例えば、スロット機が備える液晶画面への報知等）する報知手段とを備え、前記可動役物が演出動作（例えば、ボーナス等になることに対応して実行される動作、ボーナス等になる可能性が高いことに対応して実行される動作、ボーナス等になることに対応して又は対応せずに液晶画面の表示に対応して実行される動作等の、予め設定された動作等）とは異なる動作をした場合に、前記報知を制限する制限手段をさらに備える、スロット機であってもよい。
【符号の説明】
【０２３４】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８  …  スピーカ
９  …  ランプ
１１  …  主基板
１２  …  演出制御基板
１３  …  音声制御基板
２０  …  普通図柄表示器
２１  …  ゲートスイッチ
２２Ａ  …  第１始動口スイッチ
２２Ｂ  …  第２始動口スイッチ
２３  …  カウントスイッチ
１００  …  遊技制御用マイクロコンピュータ
１０１、１２１  …  ＲＯＭ
１０２、１２２  …  ＲＡＭ
１０３  …  ＣＰＵ
１２０  …  演出制御用ＣＰＵ
【図１】
2018164637.tif 000003
【図２】
2018164637.tif 000004
【図３】
2018164637.tif 000005
【図４】
2018164637.tif 000006
【図５】
2018164637.tif 000007
【図６】
2018164637.tif 000008
【図７】
2018164637.tif 000009
【図８】
2018164637.tif 000010
【図９】
2018164637.tif 000011
【図１０】
2018164637.tif 000012
【図１１】
2018164637.tif 000013
【図１２】
2018164637.tif 000014
【図１３】
2018164637.tif 000015
【図１４】
2018164637.tif 000016
【図１５】
2018164637.tif 000017
【図１６】
2018164637.tif 000018
【図１７】
2018164637.tif 000019
【図１８】
2018164637.tif 000020